(57)【要約】  本発明は、試料から分析物を放出するｉｎ  ｖｉｔｒｏ方法に関し、前記試料を、（ｉ）カオトロピック剤、（ｉｉ）有機溶媒、（ｉｉｉ）界面活性剤、および（ｉｖ）重炭酸イオンを供給する少なくとも１種の薬剤と、接触させるステップを含む。本発明は、上記化合物を含む、試料から分析物を放出するための放出剤にさらに関する。さらに、本発明は、本発明の方法および放出剤に関連した使用、キット、方法およびデバイスに関する。【選択図】図２
2020512555.tif 000002
【特許請求の範囲】
【請求項１】
試料から分析物を放出するｉｎ  ｖｉｔｒｏ方法であって、前記試料を、（ｉ）カオトロピック剤、（ｉｉ）有機溶媒、（ｉｉｉ）界面活性剤、および（ｉｖ）重炭酸イオンを供給する少なくとも１種の薬剤と接触させるステップを含む、方法。
【請求項２】
前記カオトロピック剤の濃度は１Ｍから４Ｍまでであり；
前記有機溶媒の濃度は２％（ｖ／ｖ）から２０％（ｖ／ｖ）までであり；
前記界面活性剤の濃度は０．２％（ｗ／ｖ）から２０％（ｗ／ｖ）までであり；および／または
重炭酸イオンを供給する前記少なくとも１種の薬剤によって理論上供給される重炭酸イオンの濃度は、０．１Ｍから２Ｍまでである、
請求項１に記載の方法。
【請求項３】
前記カオトロピック剤は塩酸グアニジンおよび／または尿素であり；
前記有機溶媒はアセトニトリルであり；
前記界面活性剤は非イオン性界面活性剤であり、一実施形態ではアルキル−グリコシドであり；さらなる実施形態では、β−Ｄ−オクチル−グルコシドであり；および／または
重炭酸イオンを供給する前記少なくとも１種の薬剤は、環状炭酸エステルを含み、一実施形態ではエチレンカーボネートを含むかまたはそれである、請求項１または２に記載の方法。
【請求項４】
前記試料は体液試料であり、一実施形態では血液、血漿、または血清の試料である、請求項１から３のいずれか一項に記載の方法。
【請求項５】
前記分析物は、ステロイドホルモン、オリゴペプチド、ポリケチド、およびビタミンのうちの少なくとも１種を含む、請求項１から１４のいずれか一項に記載の方法。
【請求項６】
前記ステロイドホルモンは、アンドロゲン、エストロゲン、およびプロゲストゲンのうちの少なくとも１種であり、一実施形態ではテストステロンであり；
前記オリゴペプチドは環状オリゴペプチド抗生物質であり、一実施形態ではシクロスポリンであり；
前記ポリケチドはマクロライド、タクロリムス、シロリムス、もしくはエベロリムスであり、さらなる実施形態ではエベロリムスであり；ならびに／または
前記ビタミンはビタミンＤであり、さらなる実施形態ではビタミンＤ３であり、さらなる実施形態では２５−ヒドロキシ−ビタミンＤ３である、
請求項１から５のいずれか一項に記載の方法。
【請求項７】
前記分析物は、テストステロン、シクロスポリン、エベロリムス、および２５−ヒドロキシ−ビタミンＤ３のうちの少なくとも１種を、一実施形態では少なくとも２種を、さらなる実施形態では少なくとも３種を、さらなる実施形態では全てを含む、請求項１から６のいずれか一項に記載の方法。
【請求項８】
（ｉ）カオトロピック剤、（ｉｉ）有機溶媒、（ｉｉｉ）界面活性剤、および（ｉｖ）重炭酸イオンを供給する少なくとも１種の薬剤を含む、
試料から分析物を放出するための放出剤。
【請求項９】
前記放出剤は３倍濃縮溶液であり、かつ
前記カオトロピック剤の濃度は２Ｍから飽和までであり；
前記有機溶媒の濃度は２％（ｖ／ｖ）から３０％（ｖ／ｖ）までであり；
前記界面活性剤の濃度は０．５％（ｗ／ｖ）から２０％（ｗ／ｖ）までであり；
重炭酸イオンを供給する前記少なくとも１種の薬剤によって理論上供給される重炭酸イオンの濃度は、０．１Ｍから６Ｍまでである、
請求項８に記載の放出剤。
【請求項１０】
前記カオトロピック剤は塩酸グアニジンおよび／または尿素であり；
前記有機溶媒はアセトニトリルであり；
前記界面活性剤は非イオン性界面活性剤であり、一実施形態ではアルキル−グリコシドであり；さらなる実施形態では、β−Ｄ−オクチル−グルコシドであり；および／または
重炭酸イオンを供給する前記少なくとも１種の薬剤は、環状炭酸エステルを含み、一実施形態ではエチレンカーボネートを含むかまたはそれである、請求項８または９に記載の放出剤。
【請求項１１】
（Ｉ）（ｉ）カオトロピック剤、（ｉｉ）有機溶媒、（ｉｉｉ）界面活性剤、および（ｉｖ）重炭酸イオンを放出剤に供給する少なくとも１種の薬剤を含む組成物、ならびに／または、
（ＩＩ）試料から少なくとも１種の分析物を放出するための請求項１から７のいずれか一項に記載の方法、の使用。
【請求項１２】
前記組成物は請求項８から１０のいずれか一項に記載の放出剤である、請求項１１に記載の使用。
【請求項１３】
ハウジングに備えられた、（ｉ）カオトロピック剤、（ｉｉ）有機溶媒、（ｉｉｉ）界面活性剤、および（ｉｖ）重炭酸イオンを供給する少なくとも１種の薬剤を含む、キット。
【請求項１４】
請求項８から１０のいずれか一項に記載の放出剤を含む、請求項１３に記載のキット。
【請求項１５】
少なくとも１種の分析物向けの少なくとも１種の検出剤をさらに含む、請求項１３または１４に記載のキット。
【請求項１６】
試料中の少なくとも１種の分析物を決定する方法であって、
（ａ）請求項１から７のいずれか一項に記載の方法に従って前記分析物を放出して、抽出物を発生させるステップ；
（ｂ）前記抽出物中の前記放出された分析物を決定するステップ；および、それによって、
（ｃ）試料中の前記分析物を決定するステップ、
を含む方法。
【請求項１７】
前記方法は、多数の分析物を決定する方法であり、
一実施形態では前記多数とは少なくとも２種、一実施形態では少なくとも４種、さらなる実施形態では少なくとも１０種、さらなる実施形態では少なくとも２５種、さらなる実施形態では少なくとも５０種の分析物のことである、請求項１６に記載の方法。
【請求項１８】
請求項８から１０のいずれか一項に記載の放出剤を含む、試料中の分析物を決定するための、ならびに／あるいは
請求項１から７および／または１６もしくは１７のいずれか一項に記載の方法を行うように構成された、
デバイス。
【請求項１９】
前記デバイスは、少なくとも１種の分析物を決定するために適合させた分析ユニット、および／または前記試料中の前記分析物の量および／または濃度を計算するために適合させた評価ユニットをさらに含む、請求項１８に記載のデバイス。
【発明の詳細な説明】
【技術分野】
【０００１】
本発明は、試料から分析物を放出するｉｎ  ｖｉｔｒｏ方法に関し、前記試料を、（ｉ）カオトロピック剤、（ｉｉ）有機溶媒、（ｉｉｉ）界面活性剤、および（ｉｖ）重炭酸イオンを供給する少なくとも１種の薬剤と接触させるステップを含む。本発明は、上記化合物を含む、試料から分析物を放出するための放出剤にさらに関する。さらに、本発明は、本発明の方法および放出剤に関連した使用、キット、方法およびデバイスに関する。
【背景技術】
【０００２】
ｉｎ  ｖｉｔｒｏ診断（ＩＶＤ）方法には、実際の分析を行う前に試料調製ステップが通常は必要である。試料調製は、試料マトリックスからの分析物放出、分析物が赤血球内に閉じ込められている場合の溶血（例えば、免疫抑制薬）および場合によっては存在量の低い分析物に関して分析物の濃縮などの、いくつかの機能を伴う場合がある。試料調製ステップの別の重要な機能とは、干渉を回避するための試料マトリックスの除去である；特に、血液および血液由来の試料は、タンパク質（アルブミン、免疫グロブリン）と他の生体分子との高濃度でかつ複雑な混合物からなり、これによって、下流の分析において問題に、例えば、その寿命を短縮するクロマトグラフィーカラムの閉塞または目詰まりに（Ｆｕｒｅｙら（２０１３）  Ｔａｌａｎｔａ  １１５：１０４）、分析物の存在量が低いことによるＭＳシグナルの「掻き消し（drown out）」または抑制等に、つながる可能性がある。
【０００３】
質量分析（ＭＳ）、特に液体クロマトグラフィータンデム質量分析（ＬＣ−ＭＳ／ＭＳ）は、ｉｎ  ｖｉｔｒｏ診断における分析物の定量に選択される方法となっている。特に、類似の構造の代謝物を有する小分子の決定の場合、ＭＳの特異性および精度は、信頼できる結果を生み出すことに欠かせないものとなっている。そのような小分子の例は、２５−ヒドロキシビタミンＤ３などのビタミン、テストステロンなどのステロイド、シクロスポリンＡおよびエベロリムスなどの免疫抑制薬である。２５−ヒドロキシビタミンＤ３およびテストステロンは血清または血漿の試料から決定される。免疫抑制薬の場合、これらの分析物は赤血球に強く結合しているので、推奨されるマトリックスは全血であり（Ａｌ−Ｊｅｎｏｏｂｉ、ＦＩ（２０１６）、Ａｕｓｔｉｎ  Ｃｈｒｏｍａｔｏｇｒａｐｈｙ  ３：１０３９；Ｓａｌｌｕｓｔｉｏ、ＢＣ（２０１０）、Ｂｉｏａｎａｌｙｓｉｓ  ２：１１４１）、したがって、それらの定量の前に溶血ステップが必要である。２５−ヒドロキシ−ビタミンＤ３、テストステロン、シクロスポリンＡおよびエベロリムスの場合、これらの分析物は試料中でマトリックスタンパク質に結合しており、定量前にマトリックスタンパク質からの放出を必要とすることも知られている：例えば、血中シクロスポリンＡの定量前（「Ｐｅｒｓｏｎａｌｉｚｅｄ  Ｉｍｍｕｎｏｓｕｐｐｒｅｓｓｉｏｎ  ｉｎ  ｔｒａｎｓｐｌａｎｔａｔｉｏｎ：ｒｏｌｅ  ｏｆ  ｂｉｏｍａｒｋｅｒ  ｍｏｎｉｔｏｒｉｎｇ  ａｎｄ  ｔｈｅｒａｐｅｕｔｉｃ  ｄｒｕｇ  ｍｏｎｉｔｏｒｉｎｇ」、Ｏｅｌｌｅｒｉｃｈ  ＆  Ｄａｓ  Ｇｕｐｔａ（２０１６）：Ｅｌｓｅｖｉｅｒ、Ａｍｓｔｅｒｄａｍ）、これは５０〜７０％が赤血球に結合している、および、血漿中に見いだされるシクロスポリンＡの定量前、これは９８％がリポタンパク質に結合し、一方、わずか２％が血漿中に遊離していることが見いだされている。同様に、血中エベロリムス（Ｏｅｌｌｅｒｉｃｈ  ＆  ＤａｓＧｕｐｔａ、上記引用文中）の定量前、およそ７５％は赤血球に結合している、および、血漿中に見いだされるエベロリムスの定量前、７５％が血漿タンパク質に結合しており、一方、２５％が血漿中に遊離していることが見いだされている。２５−ヒドロキシ−ビタミンＤ３およびテストステロンは、それぞれ、ビタミンＤ結合タンパク質および性ホルモン−結合グロブリンに事実上ほとんどが結合している（Ｅｌｅｃｓｙｓアッセイ  総ビタミンＤの添付文書（２０１４−１１、Ｖ５．０）；Ｒｏｍｍｅｒｔｓ  ＦＦＧ（２００４）：「Ｔｅｓｔｏｓｔｅｒｏｎｅ：ａｎ  ｏｖｅｒｖｉｅｗ  ｏｆ  ｂｉｏｓｙｎｔｈｅｓｉｓ，ｔｒａｎｓｐｏｒｔ，ｍｅｔａｂｏｌｉｓｍ  ａｎｄ  ｎｏｎ−ｇｅｎｏｍｉｃ  ａｃｔｉｏｎｓ」；Ｉｎ：Ｎｉｅｓｃｈｌａｇ、Ｅ、Ｂｅｈｒｅ、ＨＭ（編）：Ｔｅｓｔｏｓｔｅｒｏｎｅ  ａｃｔｉｏｎ，ｄｅｆｉｃｉｅｎｃｙ，ｓｕｂｓｔｉｔｕｔｉｏｎ、第３版、Ｃａｍｂｒｉｄｇｅ、Ｃａｍｂｒｉｄｇｅ  Ｕｎｉｖｅｒｓｉｔｙ  Ｐｒｅｓｓ、１〜３８ページ．）。
【０００４】
試料の前処理試薬を含めて、試料調製ステップは、分析方法の精度に直接影響を与えるので、ＬＣ−ＭＳ／ＭＳ分析および他のＩＶＤ定量方法／アッセイにおける方法開発の第一のかつ最も重要な部分である（１０）。最先端の最も一般的な前処理方法とは、沈殿のための添加剤の一助となるように、メタノールまたはアセトニトリルなどの有機溶媒で、時にはまたＺｎＳＯ４などの硫酸塩で、試料（血清、血漿、または全血）を処理することであり、試料マトリックスからの分析物放出および同時に沈殿によるマトリックス成分の除去を誘導する（Ｓａｌｌｕｓｔｉｏ，ＢＣ、上記引用文中；Ｇｏｍｅｓら（２０１３）、Ｂｉｏａｎａｌｙｓｉｓ  ５：３０６３；Ｅｌｅｃｓｙｓアッセイの添付文書：シクロスポリン（２０１３−０６、Ｖ１．０）、エベロリムス（２０１５−１１、Ｖ１．０）、シロリムス（２０１５−１２、Ｖ１．０）、タクロリムス（２０１４−１１、Ｖ３．０）、およびそれらのＩＳＤ前処理試薬（２０１４−１０、Ｖ３．０）；Ｓａｄｊａｄｉ  Ｓ（２０１３）、Ｃｈｒｏｍａｔｏｇｒａｐｈｙ  Ｔｏｄａｙ、１１月／１２月：２０）。しかし、これらの方法は、沈殿物の除去が必要であり、したがって、ＬＣ−ＭＳ／ＭＳ向けのビーズ濃縮などの一部の下流の適用性に対応していない；さらに、有機溶媒はビーズによる分析物の捕捉を阻害する場合がある。したがって、ビーズ濃縮ＬＣ−ＭＳ／ＭＳ方法には通常、前分析に水性ビーズ溶液が必要である。ビーズ濃縮ワークフローでの試料調製に使用される前処理試薬は、安定したすぐに使用できる状態の溶液として理想的には提供される。こういった溶液は、機器に搭載して長期間配置することができ、ユーザーとのやりとりを必要としないワークフローを提供する。しかし、凍結乾燥物としての試薬を使用することは、化学的に不安定な試薬が含まれる場合に必要であり、このことは、手作業のステップは追加費用を発生させ間違いの原因ももたらすので、再構成のための手作業のステップが必要であることによってワークフローを妨害する。加えて、再構成された試薬は通常、短い貯蔵寿命を示し、新しく調製した溶液に交換する必要がある。
【０００５】
一部の前処理方法は、マトリックスからの分析物放出に鹸化を使用し（Ｅｌｅｃｓｙｓアッセイ  総ビタミンＤの添付文書（２０１４−１１、Ｖ５．０）；Ｇｏｍｅｓら、上記引用文中）、試料と水酸化カリウムまたは水酸化ナトリウムの溶液とを混合するステップからなる。この前処理方法は、多くの場合、アンフォールドするマトリックスタンパク質のジスルフィド架橋を開くためのジチオトレイトール（ＤＴＴ）などの還元剤の添加を伴う。この利点は、マトリックスタンパク質の変性がなんら沈殿物を形成せずに起こることである。しかし、還元剤はアルカリ溶液では普通化学的に安定ではないので、ＤＴＴおよびＮａＯＨなどの２つの個別の成分を用意する必要がある。その結果は、分析装置上により広いスペースが必要になり、２回のピペッティングステップの前処理が必要になる、ということである。
【０００６】
他のアッセイでは、前処理試薬を使用して、構造的に類似の化合物を過剰に加えるステップによって、決定すべき分析物の競争的置換を引き起こす。例えば、Ｅｌｅｃｓｙｓテストステロン試験では、テストステロンをその結合タンパク質から放出するために、免疫試薬中に２−ブロモエストラジオールを含有する（Ｅｌｅｃｓｙｓアッセイ  テストステロンの添付文書（２０１４−１２、Ｖ８．０）。しかし、この方法では、捕捉ビーズの位置を占めることによってビーズ濃縮ワークフローを損なう可能性があり、分析物自体を捕捉するその能力が低下または制限され、分析物の喪失にいたる可能性がある。競合化合物は、類似の構造に起因してＬＣ−ＭＳ／ＭＳに干渉を引き起こす可能性もあり、したがって、これにより、共溶出およびイオン抑制は可能性が非常に高くなる。
【０００７】
また、タンパク質分解試料処理を試料マトリックスの除去および分析物放出に使用できる（ＵＳ７９６４３６３Ｂ２；ＵＳ８２２１９８６Ｂ２）。しかし、タンパク質分解試薬はマトリックスタンパク質から多数のペプチド断片を生じるが、これらの断片は貴重なビーズの位置を占めることによってビーズ濃縮のワークフローを妨げる可能性がある。結果として、ビーズによる分析物の捕捉は、完全には不可能であり、分析物および感度の喪失という結果となる。さらに、タンパク質分解前処理方法には普通、様々な試薬と一緒に複数のピペッティングステップが必要であり、分析器上においてより複雑で時間を浪費するワークフローに至る。
【０００８】
カオトロピック試薬はまた、タンパク質変性および細胞可溶化向けの試薬として文献で知られており（Ｐｅｔｅｒｓｏｎ  ＰＡ（１９７１）、Ｊ  Ｂｉｏｌ  Ｃｈｅｍ  ２４６、７７４８；Ｍａｒｓｔｏｎ  ＦＡＯ（１９９０）、Ｍｅｔｈｏｄｓ  Ｅｎｚｙｍｏｌ、１８２：２６４）、アッセイにおける放出試薬として適用される（１７）。しかし、通常の製剤では、６〜８Ｍ濃度の尿素またはグアニジンＨＣｌを含む、高用量の試薬を使用し、こういった試薬はＬＣ−ＭＳ／ＭＳ測定で干渉を引き起こすことが多い（Ｓａｍｓｋｏｇ  Ｊ（２００３）、Ｊ  Ｃｈｒｏｍａｔｏｇｒａｐｈｙ  Ａ、９９８：８３；Ａｎｔｉｇｎａｃ  ＪＰ（２００５、Ａｎａｌ  Ｃｈｉｍ  Ａｃｔａ、５２９：１２９；Ｃｈｉｕ  ＭＬ（２０１０）、ＪＡＬＡ  １５：２３３；Ｐｒｏｃら（２０１０）、Ｊ  Ｐｒｏｔｅｏｍｅ  Ｒｅｓ  ９：５４２２）。
【発明の概要】
【発明が解決しようとする課題】
【０００９】
したがって、試料から分析物を放出する改善された手段および方法に対する、特に良好な抽出効率を提供しかつビーズ濃縮などの下流の適用性を妨害しない前処理試薬に対する必要性が、当技術分野において存在する。この問題は、本明細書で開示の手段および方法によって解決される。
【課題を解決するための手段】
【００１０】
したがって、本発明は、試料から分析物を放出するｉｎ  ｖｉｔｒｏ方法に関し、前記試料を、（ｉ）カオトロピック剤、（ｉｉ）有機溶媒、（ｉｉｉ）界面活性剤、および（ｉｖ）重炭酸イオンを供給する少なくとも１種の薬剤と接触させるステップを含む。
【発明を実施するための形態】
【００１１】
以下で使用する場合、用語「有する」、「含む（comprise）」もしくは「含む（include）」、または任意の恣意的なその文法的変型は、非排他的方式で使用される。したがって、これらの用語は、これらの用語により導入される特徴以外のさらなる特徴がこの文脈において記述される実体には存在しないという状況、および１つまたは複数のさらなる特徴が存在するという状況の両方を参照することができる。一例として、表現「ＡはＢを有する」、「ＡはＢを含む（comprise）」、および「ＡはＢを含む（include）」とは、ＡにはＢ以外の他の要素が存在しないという状況（すなわち、Ａは単独かつ独占的にＢから成るという状況）、および実体ＡにはＢ以外に１つまたは複数のさらなる要素が、例えば要素Ｃ、要素ＣおよびＤ、またはそれ以上の要素が存在するという状況の両方を意味することができる。
【００１２】
さらに、以下で使用する場合、「好ましくは」、「より好ましくは」、「最も好ましくは」、「具体的には」、「より具体的には」、「詳細には」、「より詳細には」、または類似の用語は、任意の特徴と合わせて、さらなる可能性を制限することなく使用される。従って、これらの用語により導入される特徴は、任意の特徴であり、特許請求の範囲をいかようにも制限することは意図されていない。本発明は、当業者であれば認識されるように、代替の特徴を使用することにより実施されることができる。同様に、「本発明の実施形態において」または類似の表現により導入される特徴は、本発明のさらなる実施形態に関する一切の制限なしで、本発明の範囲に関する一切の制限なしで、かつそのような方式で導入される特徴を本発明の他の任意の、または任意ではない特徴と組み合わせる可能性に関する一切の制限なしで、任意の特徴であることが意図される。さらに、別途示されない限り、用語「約」とは、関連分野で一般に受け入れられている技術的精度を有する指示値に関し、好ましくは指示値±２０％、より好ましくは±１０％、最も好ましくは±５％に関する。
【００１３】
本発明の方法はｉｎ  ｖｉｔｒｏ方法である。したがって、一実施形態では、方法は人体上では行われない。また、本発明の方法は、一実施形態では、対象の健康状態の診断を提供する診断方法ではない；しかし、本発明の方法は、一実施形態では、診断を確立する際に役立つ医師が見つけることが可能な情報を、または対照のさらなる処置を決定する際に考慮し得る情報を提供することが想定される。さらに、方法は、上で明確に言及されたステップに加えて複数のステップを含むことができる。例えば、さらなるステップは、例えば、下に本明細書で記載されるように得られる一実施形態において試料を、例えば対象からの試料を提供するステップに；前記試料を、下に本明細書で特定される１つまたは複数のさらなる化合物と接触させるステップに；および／または、試料を前記化合物と接触させた後に不溶性化合物を除去するステップに、関してもよい。さらに、方法のステップのうちの１つまたは複数は、自動化された機器によって行うことができる。
【００１４】
用語「試料」とは、本明細書で使用する場合、少なくとも１種の分析物を含むまたは含むと疑われる試料を指す。一実施形態では、試料は生体試料であり、一実施形態では、体液の試料、分離された細胞の試料、組織もしくは器官からの試料、または外側のもしくは内側の身体表面から得られた洗浄／すすぎ液の試料である。試料は、周知されている技法によって得ることができ、掻爬、スワブおよび生検を含む。試料は、ブラシ、（コットンの）スワブ、スパーテル、すすぎ／洗浄液、パンチ生検装置、針での空洞穿刺または手術器具の使用によって得ることができる。組織または器官の試料は、例えば、生検または他の外科手技により、任意の組織または器官から得ることができる。一実施形態では、試料は液体試料であり、さらなる実施形態では体液の試料であり、例えば、一実施形態では、血液、血漿、血清、尿、唾液、涙液、および乳腺から得られる液体、例えば乳汁である。さらなる実施形態では、試料は血液、血漿、または血清の試料である。血液試料は、採血により、例えば動脈および／または静脈の血管を穿刺することにより得ることができる。血漿および血清の試料は、周知の方法に従って血液試料から得ることができる。一実施形態では、試料はＥＤＴＡ血漿試料であり、さらなる実施形態では、試料はＥＤＴＡ血液試料である。試料は、一実施形態では、本明細書の他で明記される少なくとも１種の分析物を含むまたは含むと疑われるものである。本明細書で使用する場合、用語「試料」とは、本明細書で特定される化合物と接触させる前の試料に関する。接触中、試料の成分および上記の化合物の成分の両方が存在する限り、用語「放出混合物」が使用されるが、一方、接触後、すなわち、試料の成分および／または上記の化合物の成分のうちの少なくとも１種が除去された後、用語「抽出物」が使用される。一実施形態では、試料は、ｉｎ  ｖｉｔｒｏでの評価目的のために個体から得られた生体試料である。さらなる実施形態では、液体試料は、濾紙またはフィルターメンブレイン上で乾燥される。一実施形態では、本明細書で使用する試料は、個体から得られた試料の一定分量を指す。
【００１５】
用語「接触させるステップ」とは、本発明の方法の文脈で使用する場合、当業者であれば明らかである。一実施形態では、用語は、本発明の試料を少なくとも指示された化合物との物理的接触にもたらすこと、それにより試料と化合物とが相互作用することを可能にすること、に関する。試料を多数の化合物に、例えば、カオトロピック剤、有機溶媒、界面活性剤、および重炭酸イオンを供給する少なくとも１種の薬剤に接触させるステップは、それぞれの化合物の連続添加によって、前記化合物のうちの２種以上を含む試薬の連続添加によって、例えば、カオトロピック剤と重炭酸イオンを供給する少なくとも１種の薬剤とを含む一試薬を加え、続いて有機溶媒と界面活性剤とを含む第２の試薬を加えるステップによって、または、本発明の放出剤を使用する一実施形態において、上記の化合物の全てを含む放出剤と試料を接触させるステップによって、行うことができる。上記の場合のいずれにおいても、試料は、上記の化合物の４種全てに同時に接触する、すなわち、試料は、少なくとも本明細書の他で明記される時間フレームの間、試料に接触する上記の化合物の全てと相互作用することができる。化合物全部が同時に加えられるわけではない場合、最後の化合物が加えられると、指示されたインキュベーション時間が開始する。
【００１６】
本明細書で使用する場合、用語「分析物」とは、対象の試料中に、一実施形態では、体液中に、存在する化学的化合物を指す。一実施形態では、分析物は小分子である、すなわち、一実施形態では、分析物は生体高分子ではない。さらなる実施形態では、分析物は、有機分子であり、一実施形態では、少なくとも隣接する２個の炭素原子を含む分子である。一実施形態では、分析物とは対象の代謝の分子である。さらなる実施形態では、分析物は、例えば、予防的処置を含めて、医学的処置において、前記対象に投与された化合物である。また、一実施形態では、分析物は、低分子量の化学化合物であり、一実施形態では５０００Ｄａ未満の分子質量を有し、一実施形態では２０００Ｄａ未満の分子質量を有する。さらなる実施形態では、分析物は、ステロイドホルモン、オリゴペプチド、ポリケチド、およびビタミンからなるリストから選択される。
【００１７】
一実施形態では、放出される少なくとも１種の分析物はステロイドホルモンである。用語「ステロイドホルモン」とは、ステロイド環系を含む構造を有し、対象においてホルモン機能を有する化合物に関するものであることは、当業者であれば知っている。一実施形態では、ステロイドホルモンはコルチコステロイドまたは性ステロイドであり、一実施形態では性ステロイドである。一実施形態では、分析物は、アンドロゲン、エストロゲン、およびプロゲストゲンのうちの少なくとも１種であり、さらなる実施形態では、テストステロン、ジヒドロテストステロン、およびアンドロステンジオンイン（androstenedionein）のうちの少なくとも１種であり、さらなる実施形態では、テストステロンである。
【００１８】
一実施形態では、放出される少なくとも１種の分析物はオリゴペプチドである。用語「オリゴペプチド」とは、本明細書で使用する場合、ペプチド結合を介して接続された少なくとも２個のアミノ酸を含むあらゆる化合物が含まれる。一実施形態では、オリゴペプチドは２から５０個までのアミノ酸で構成され、一実施形態では３から２５個までのアミノ酸で構成され、さらなる実施形態では４から１５個までのアミノ酸で構成される。一実施形態では、前記アミノ酸のうちの少なくとも１種はアルファ−アミノ酸であり、一実施形態ではＬ−アルファ−アミノ酸であり、さらなる実施形態ではタンパク質を構成するアミノ酸である。当然のことながら、オリゴペプチドは、限定されないが、メチル基、エチル基、エチレン基、ケト基、ヒドロキシル基、環状アルキル基、糖残基等を含めて、化学側鎖をさらに含んでもよい。一実施形態では、オリゴペプチドは内因性または治療用オリゴペプチドである。さらなる実施形態では、オリゴペプチドは環状オリゴペプチドであり、一実施形態では環状オリゴペプチド抗生物質であり、一実施形態ではシクロスポリンである。
【００１９】
一実施形態では、放出される少なくとも１種の分析物は「ポリケチド」であり、この用語は当業者であれば知っており、これには、特に、マクロライド、アンサマイシン、ポリエン、テトラサイクリン、および関連化合物が含まれる。一実施形態では、ポリケチドはマクロライドである。用語「マクロライド」とは、本明細書で使用する場合、大環状ラクトン構造を含む化合物のクラスに関する。一実施形態では、大環状ラクトン環は、８から５０個までの環原子を、一実施形態では１２から４０個までの環原子を、さらなる実施形態では１５から３５個までの環原子を、含む。一実施形態では、マクロライドは、タクロリムスおよびピメクロリムスなどにおいて、２３個の環原子を含むか、またはマクロライドは、シロリムス、エベロリムス、およびテムシロリムスなどにおいて、３１個の環原子を含む。当業者であれば明らかなように、マクロライドは、大環状ラクトン環に直接的または間接的に結合したさらなる環構造を含んでもよく、および／またはラクトン環および可能性のあるさらなる環は、少なくとも１個の酸素ヘテロ原子に加えて、さらなるヘテロ原子を、特に窒素原子を含んでもよい。さらに、マクロライドは、特にメチル基、エチル基、エチレン基、ケト基、ヒドロキシル基、環状アルキル基、糖残基等を含めて、有機および／または無機側鎖をさらに含んでもよい。一実施形態では、少なくとも１種の分析物は、エベロリムス（（１Ｒ，９Ｓ，１２Ｓ，１５Ｒ，１６Ｅ，１８Ｒ，１９Ｒ，２１Ｒ，２３Ｓ，２４Ｅ，２６Ｅ，２８Ｅ，３０Ｓ，３２Ｓ，３５Ｒ）−１，１８−ジヒドロキシ−１２−［（２Ｒ）−１−［（１Ｓ，３Ｒ，４Ｒ）−４−（２−ヒドロキシエトキシ）−３−メトキシシクロヘキシル］プロパン−２−イル］−１９，３０−ジメトキシ−１５，１７，２１，２３，２９，３５−ヘキサメチル−１１，３６−ジオキサ−４−アザトリシクロ［３０．３．１．０４，９］ヘキサトリアコンタ−１６，２４，２６，２８−テトラエン−２，３，１０，１４，２０−ペントン、ＣＡＳ番号１５９３５１−６９−６）、シロリムス（（１Ｒ，９Ｓ，１２Ｓ，１５Ｒ，１６Ｅ，１８Ｒ，１９Ｒ，２１Ｒ，２３Ｓ，２４Ｅ，２６Ｅ，２８Ｅ，３０Ｓ，３２Ｓ，３５Ｒ）−１，１８−ジヒドロキシ−１２−｛（２Ｒ）−１−［（１Ｓ，３Ｒ，４Ｒ）−４−ヒドロキシ−３−メトキシシクロヘキシル］−２−プロパニル｝−１９，３０−ジメトキシ−１５，１７，２１，２３，２９，３５−ヘキサメチル−１１，３６−ジオキサ−４−アザトリシクロ［３０．３．１．０４，９］ヘキサトリアコンタ−１６，２４，２６，２８−テトラエン−２，３，１０，１４，２０−ペントン、ＣＡＳ番号５３１２３−８８−９）、タクロリムス（（１Ｒ，９Ｓ，１２Ｓ，１３Ｒ，１４Ｓ，１７Ｒ，１８Ｅ，２１Ｓ，２３Ｓ，２４Ｒ，２５Ｓ，２７Ｒ）−１，１４−ジヒドロキシ−１２−［（１Ｅ）−１−［（１Ｒ，３Ｒ，４Ｒ）−４−ヒドロキシ−３−メトキシシクロヘキシル］プロパ−１−エン−２−イル］−２３，２５−ジメトキシ−１３，１９，２１，２７−テトラメチル−１７−（プロパ−２−エン−１−イル）−１１，２８−ジオキサ−４−アザトリシクロ［２２．３．１．０４，９］オクタコス−１８−エン−２，３，１０，１６−テトロン、ＣＡＳ番号１０４９８７−１１−３）、ピメクロリムス（（１Ｒ，９Ｓ，１２Ｓ，１３Ｒ，１４Ｓ，１７Ｒ，１８Ｅ，２１Ｓ，２３Ｓ，２４Ｒ，２５Ｓ，２７Ｒ）−１２−［（１Ｅ）−１−［（１Ｒ，３Ｒ，４Ｓ）−４−クロロ−３−メトキシシクロヘキシル］プロパ−１−エン−２−イル］−１７−エチル−１，１４−ジヒドロキシ−２３，２５−ジメトキシ−１３，１９，２１，２７−テトラメチル−１１，２８−ジオキサ−４−アザトリシクロ［２２．３．１．０４，９］オクタコス−１８−エン−２，３，１０，１６−テトロン、ＣＡＳ番号１３７０７１−３２−０）、または、テムシロリムス（（１Ｒ，２Ｒ，４Ｓ）−４−［（２Ｒ）−２−［（１Ｒ，９Ｓ，１２Ｓ，１５Ｒ，１６Ｅ，１８Ｒ，１９Ｒ，２１Ｒ，２３Ｓ，２４Ｅ，２６Ｅ，２８Ｅ，３０Ｓ，３２Ｓ，３５Ｒ）−１，１８−ジヒドロキシ−１９，３０−ジメトキシ−１５，１７，２１，２３，２９，３５−ヘキサメチル−２，３，１０，１４，２０−ペンタオキソ−１１，３６−ジオキサ−４−アザトリシクロ［３０．３．１．０４，９］ヘキサトリアコンタ−１６，２４，２６，２８−テトラエン−１２−イル］プロピル］−２−メトキシシクロヘキシル３−ヒドロキシ−２−（ヒドロキシメチル）−２−メチルプロパノエート、ＣＡＳ番号１６２６３５−０４−３）、である。一実施形態では、分析物は、エベロリムス、シロリムス、タクロリムス、ピメクロリムスおよびテムシロリムスから選択され、一実施形態では、エベロリムス、シロリムス、およびタクロリムスから選択され、さらなる実施形態ではエベロリムスであり、一実施形態ではシロリムスであり、一実施形態ではタクロリムスである。
【００２０】
一実施形態では、放出される少なくとも１種の分析物は「ビタミン」であり、この用語は、少量で対象が必要とし、かつ、対象の体はこれを合成することができない有機化合物に関するものであることは、当業者であれば知っている。当業者であればまた知っているように、用語「ビタミン」とは、種に応じて化学化合物がビタミンである場合もありそうでない場合もあるので、種に固有な分類である。一実施形態では、ビタミンは、ヒト対象についてのビタミン、すなわち、ヒトのビタミンである。一実施形態では、分析物は、ビタミンＡ（レチノール）、Ｂ１（チアミン）、Ｂ２（リボフラビン）、Ｂ３（ナイアシン）、Ｂ５（パントテン酸）、Ｂ６（ピリドキシン）、Ｂ７（ビオチン）、Ｂ９（葉酸）、Ｂ１２（シアノコバラミン）、Ｃ（アスコルビン酸）、ビタミンＤ（コレカルシフェロールまたはエルゴカルシフェロール）、Ｅ（トコフェロール）、およびＫ（フィロキノン）のうちの１つである。一実施形態では、分析物は疎水性ビタミンであり、一実施形態では疎水性のヒトビタミンであり、さらなる実施形態ではヒトのＡ、Ｂ、またはＤビタミンであり、さらなる実施形態ではビタミンＤである。一実施形態では、用語「ビタミンＤ」には、ビタミンＤ２の骨格またはビタミンＤ３の骨格を含有する天然に存在するあらゆる化合物が含まれるということが理解されるべきである。さらなる実施形態では、ビタミンはビタミンＤ３であり、さらなる実施形態では２５−ヒドロキシ−ビタミンＤ３である。
【００２１】
一実施形態では、本発明に従う試料から多数の分析物が放出される。一実施形態では、少なくとも４種、一実施形態では少なくとも１０種、さらなる実施形態では、少なくとも１００種の分析物が試料から放出される。一実施形態では、放出される前記分析物は、テストステロン、シクロスポリン、エベロリムス、および２５−ヒドロキシ−ビタミンＤ３のうちの少なくとも１種を、一実施形態では少なくとも２種を、さらなる実施形態では少なくとも３種を、さらなる実施形態では全てを含む。
【００２２】
用語「分析物を放出する（こと）」とは、本明細書で使用する場合、試料に含まれる分析物を溶液にもたらすことまたは維持することに関するものである。当業者であれば明らかなように、本発明の分析物は、試料中に遊離で溶解して存在してもよく、または試料の成分に、例えば、タンパク質に、膜に結合している、小胞に閉じ込められている、等でもよい。本発明によれば、抽出後の抽出溶液に可溶性で見いだされる特定の分析物の割合は、前記試料中に存在する全分析物の少なくとも５０％であり、一実施形態では少なくとも６０％であり、さらなる実施形態では少なくとも７０％であり、さらなる実施形態では少なくとも８０％であり、さらなる実施形態では少なくとも９０％である。したがって、一実施形態では、本発明の方法の抽出効率は、少なくとも５０％であり、一実施形態では少なくとも６０％であり、さらなる実施形態では少なくとも７０％であり、さらなる実施形態では少なくとも８０％であり、さらなる実施形態では少なくとも９０％である。一実施形態では、分析物を放出するとは、生体膜を破壊することおよび／もしくは溶解させることを含み、ならびに／またはタンパク質を変性させることおよび／もしくは沈殿させることを含む。当業者であれば明らかなように、用語「タンパク質を変性させる（こと）」とは、その天然の立体構造とは異なる、前記タンパク質の立体構造状態を誘導することに関するものである。一実施形態では、変性させるとは、タンパク質が結合した補因子および／または他の分析物を放出するように、タンパク質をアンフォールディングすることである。したがって、一実施形態では、タンパク質を変性させることには、前記タンパク質の沈殿が含まれ得る；しかし、タンパク質を変性させることはまた、ポリペプチドをアンフォールドディングするおよび可溶化することであってもよい。
【００２３】
本明細書で使用する場合、用語「対象」とは、脊椎動物に関する。一実施形態では、対象は哺乳動物であり、さらなる実施形態では、マウス、ラット、ネコ、イヌ、ハムスター、モルモット、ヒツジ、ヤギ、ブタ、ウシ、またはウマである。なおさらなる実施形態では、対象は霊長類である。さらなる実施形態では、対象はヒトである。一実施形態では、対象は、少なくとも１種の分析物に関して正常からの測定可能な逸脱を伴う疾患または状態に罹患しているかまたは罹患していると疑われる。さらなる実施形態では、対象は、少なくとも１種の分析物の投与、一実施形態では、ステロイドホルモン、オリゴペプチド、ポリケチド、およびビタミンのうちの少なくとも１種の投与、を含む医学的処置を受ける。さらなる実施形態では、対象は、テストステロン、シクロスポリン、エベロリムス、およびビタミンＤ３のうちの少なくとも１種の投与を含む医学的処置を受ける。さらなる実施形態では、対象は、シクロスポリンおよびエベロリムスのうちの少なくとも１種の投与を含む医学的処置を受ける。
【００２４】
本明細書で使用する場合、用語「カオトロピック剤」とは、水分子間の水素結合を崩壊させ、かつ生体高分子の三次構造を崩壊させる、化合物に関する。一実施形態では、カオトロピック剤は、グアニジニウムイオンを含む、すなわち、塩化グアニジニウムもしくはグアニジンチオシアン酸塩であるか、チオ尿素であるか、または尿素である。一実施形態では、カオトロピック剤は硫黄原子を含まない薬剤である。したがって、一実施形態では、カオトロピック剤は、塩化グアニジニウムまたは尿素を含むかまたはそれであり、さらなる実施形態では、塩化グアニジニウムを含むかまたはそれであり、さらなる実施形態では尿素を含むかまたはそれである。一実施形態では、カオトロピック剤は塩化グアニジニウムまたは尿素であり、さらなる実施形態では塩化グアニジウムであり、さらなる実施形態では尿素である。一実施形態では、カオトロピック剤の濃度は、一実施形態では塩化グアニジニウムの濃度は、さらなる実施形態では尿素の濃度は、１Ｍから４Ｍまでであり、一実施形態では２Ｍから３．５Ｍまでであり、ここで、前記濃度は、前記接触ステップの間の処理された試料における濃度である。
【００２５】
用語「有機溶媒」とは、本明細書で使用する場合、その分子が少なくとも１個の炭素原子を含み、ＩＵＰＡＣ標準周囲温度および圧力条件下で（温度：２５℃、圧力：１０５ｋＰａ）液体である、化合物に関する。一実施形態では、有機溶媒は、少なくとも５０℃、一実施形態では少なくとも６０℃、さらなる実施形態では少なくとも７０℃、さらなる実施形態では少なくとも８０℃の沸点を有する。一実施形態では、有機溶媒は中性有機溶媒であり、さらなる実施形態では非プロトン性溶媒である。一実施形態では、有機溶媒は極性溶媒であり、一実施形態では非プロトン性極性溶媒である。一実施形態では、有機溶媒は、少なくとも１．５Ｄ、一実施形態では少なくとも２Ｄ、さらなる実施形態では少なくとも２．５Ｄ、さらなる実施形態では少なくとも３Ｄの双極子モーメントを有する。一実施形態では、有機溶媒は、酢酸エチル、アセトン、ジメチルホルムアミド、ジメチルスルホキシド、炭酸プロピレン、およびアセトニトリルから選択され、さらなる実施形態では、アセトニトリルである。一実施形態では、前記有機溶媒の濃度は、アセトニトリルの実施形態では、２％（ｖ／ｖ）から２０％（ｖ／ｖ）まで、一実施形態では３％（ｖ／ｖ）から１５％（ｖ／ｖ）まで、一実施形態では５％（ｖ／ｖ）から１０％（ｖ／ｖ）までであり、ここで、前記濃度は、前記接触ステップの間の処理された試料における濃度である。
【００２６】
本明細書で使用する場合、用語「界面活性剤」とは、当業者であれば原理的に周知されており、水の表面張力を減少させる両親媒性化合物に関する。一実施形態では、界面活性剤は両親媒性化合物の混合物である；さらなる実施形態では、界面活性剤は単一の両親媒性化合物である、すなわち、表面活性剤である。一実施形態では、界面活性剤は、非イオン性界面活性剤を含み、一実施形態では非イオン性界面活性剤からなる。さらなる実施形態では、界面活性剤は非イオン性界面活性剤である。一実施形態では、界面活性剤は、ポリエチレングリコールアルキルエーテル、ポリプロピレングリコールアルキルエーテル、ポリオキシエチレングリコールソルビタンアルキルエステル、ポリエチレングリコールオクチルフェニルエーテル、ポリエチレングリコールアルキルフェニルエーテル、グリセロールアルキルエステル、またはグリコシドアルキルエーテルを含むかまたはそれである。一実施形態では、グリコシドアルキルエーテルは５から１２個までの炭素原子を有するアルキル鎖を持つアルキル−グリコシドであり、さらなる実施形態では、５から１２個までの炭素原子を有するアルキル鎖を持つアルキル−グルコシドであり、さらなる実施形態ではオクチルグリコシドである。さらなる実施形態では、界面活性剤は、アルキル−グリコシドを含むか、またはそれであり、一実施形態では、ラウリルグルコシド、デシルグルコシド、またはオクチル−グルコシドであり、さらなる実施形態では、オクチル−グルコシドであり、さらなる実施形態では、β−Ｄ−オクチル−グルコシド（（２Ｒ，３Ｓ，４Ｓ，５Ｒ，６Ｒ）−２−（ヒドロキシメチル）−６−オクトオキシオキサン−３，４，５−トリオール、ＣＡＳ番号：２９８３６−２６−８）である。一実施形態では、界面活性剤の濃度は、０．２％（ｗ／ｖ）から２０％（ｗ／ｖ）まで、一実施形態では０．３％（ｗ／ｖ）から２％（ｗ／ｖ）までであり、ここで、前記濃度は、前記接触ステップの間の処理された試料における濃度である。
【００２７】
本明細書で使用する場合、用語「重炭酸イオンを供給する薬剤」には、ｐＨ７での水溶液において重炭酸イオンと化学平衡にある任意の化学化合物が含まれる。本発明による「重炭酸イオン」（炭酸水素イオン）は、実験式ＨＣＯ３−を持つアニオンであり、理論上は６１．０１ダルトンの分子質量を有する。重炭酸イオンは、少なくとも１種の炭酸水素塩または炭酸塩を含有する化学化合物によって、および／または加水分解時に重炭酸イオンを放出することができる化学化合物によって、提供することができる。本発明によれば、「炭酸塩」とは、炭酸イオンを含む化学化合物である；一実施形態では、炭酸塩は可溶性炭酸塩であり、特に炭酸ナトリウム（Ｎａ２ＣＯ３）、炭酸カリウム（Ｋ２ＣＯ３）、または炭酸アンモニウム（（ＮＨ４）２ＣＯ３）である。本発明によれば、「炭酸水素塩」とは、ＨＣＯ３−イオンを含む化学化合物であり、一実施形態では炭酸水素ナトリウム（ＮａＨＣＯ３）、炭酸水素カリウム（ＫＨＣＯ３）、炭酸水素アンモニウム（ＮＨ４ＨＣＯ３）、炭酸水素カルシウム（Ｃａ（ＨＣＯ３）２）および炭酸水素マグネシウム（Ｍｇ（ＨＣＯ３）２）からなる群から選択される。本発明の一実施形態による「加水分解時に重炭酸イオンを放出することができる化学化合物」とは、炭酸エステルである。本発明による「炭酸エステル」とは、２つのアルコキシ基が隣接するカルボニル基である。これらの炭酸塩の一般構造は、Ｒ１Ｏ（Ｃ=Ｏ）ＯＲ２である（式中、Ｒ１およびＲ２は、アルキルまたは環状アルキルであり、一実施形態では、独立して、メチル、エチル、プロピオニル、およびブチルから選択され、またはＲ１およびＲ２は一緒にアルキルブリッジを、特にエチレン基を形成する）。したがって、環状炭酸エステル（例えば、エチレンカーボネート）または非環状炭酸エステル（例えば、ジメチルカーボネート）、ならびに利用可能なそれらのヒドロキシル化またはハロゲン化誘導体がある。
【００２８】
当業者であれば明らかなように、炭酸塩は水溶液のアルカリ化を引き起こす。したがって、一実施形態では、炭酸塩は、特にアルカリ条件に敏感ではない分析物の放出に使用される。さらなる実施形態では、特にアルカリ性ｐＨに敏感である分析物が、例えばマクロライドが放出されることになる場合、接触ステップの間のｐＨを調整するか、または、一実施形態では、炭酸水素塩または炭酸エステルを使用することができる。したがって、一実施形態では、重炭酸イオンを供給する薬剤は、炭酸水素ナトリウム、炭酸水素カリウム、炭酸水素アンモニウム、炭酸水素カルシウムおよび炭酸水素マグネシウムからなる群から選択される。さらに好ましい実施形態では、炭酸水素塩は、炭酸水素ナトリウム、炭酸水素カリウムおよび炭酸水素アンモニウムからなる群から選択される。さらに好ましいのは、炭酸水素塩は炭酸水素ナトリウムおよび炭酸水素カリウムからなる群から選択される。
【００２９】
一実施形態では、重炭酸イオンを供給する薬剤は、それぞれ、環状または非環状炭酸エステルまたはそのヒドロキシル化またはハロゲン化誘導体である。さらなる実施形態では、重炭酸イオンを供給する薬剤は、それぞれ、環状または非環状炭酸エステルまたはそのハロゲン化誘導体である。さらなる実施形態では、環状または非環状炭酸エステルまたはそのハロゲン化誘導体は、エチレンカーボネート、ジメチルカーボネート、プロピレンカーボネート、ビニレンカーボネート、トリメチレンカーボネート、エリスリトールビスカーボネート、グリセロール１，２−カーボネート、４−クロロ−１，３−ジオキソラン−２−オン、４，５−ジクロロ−１，３−ジオキソラン−２−オン、２，５−ジオキサヘキサン二酸ジメチルエステル、１，２ブチレンカーボネート、ｃｉｓ２，３ブチレンカーボネートおよびｔｒａｎｓ２，３ブチレンカーボネート、からなる群から選択される。さらなる実施形態では、環状または非環状炭酸エステルまたはそのハロゲン化誘導体は、エチレンカーボネート、ジメチルカーボネート、プロピレンカーボネート、ビニレンカーボネート、トリメチレンカーボネート、エリスリトールビスカーボネート、グリセロール１，２−カーボネート、４−クロロ−１，３−ジオキソラン−２−オンおよび４，５−ジクロロ−１，３−ジオキソラン−２−オン、からなる群から選択される。さらなる実施形態では、環状または非環状炭酸エステルは、エチレンカーボネート、ジメチルカーボネート、グリセロール１，２−カーボネート、プロピレンカーボネートおよびビニレンカーボネートからなる群から選択される。さらなる実施形態では、環状または非環状炭酸エステルは、エチレンカーボネート、ジメチルカーボネート、グリセロール１，２−カーボネートおよびプロピレンカーボネートからなる群から選択される。さらなる実施形態では、環状または非環状炭酸エステルは、エチレンカーボネート、ジメチルカーボネートおよびグリセロール１，２−カーボネートからなる群から選択される。さらなる実施形態では、重炭酸イオンを供給する薬剤は、上で特定した炭酸エステルを含むかまたはそれであり、一実施形態では環状炭酸エステルを含むかまたはそれであり、一実施形態ではエチレンカーボネート（１，３−ジオキソラン−２−オン、ＣＡＳ番号：９６−４９−１）を含むかまたはそれである。
【００３０】
一実施形態では、重炭酸イオンを供給する少なくとも１種の薬剤によって理論上供給される重炭酸イオンの濃度は、０．１Ｍから２Ｍまで、一実施形態では０．２Ｍから０．５Ｍまでであり、ここで、前記濃度は、前記接触ステップの間の処理された試料における濃度である。本明細書で使用する場合、重炭酸イオンを供給するそれぞれの薬剤の全てのＣＯ３−ユニットが重炭酸イオンとして、一実施形態ではｐＨにかかわらず、存在すると想定して、重炭酸イオンの濃度指示が形式基準で提供される；したがって、例えば、炭酸塩の０．１Ｍ溶液は、０．１Ｍの濃度で重炭酸イオンを供給すると想定される；また、炭酸エステルの０．１Ｍ溶液は、実際の加水分解の程度にかかわらず、０．１Ｍの濃度で重炭酸イオンを供給すると想定される。
【００３１】
当業者であれば当然のことながら、本発明で開示される効果を達成するために、重炭酸イオンを供給する複数の薬剤を任意に混合することができる。また、当業者であれば知っているように、水溶液では、重炭酸イオンは次の式に従って二酸化炭素と平衡状態にある：
２Ｈ２Ｏ＋ＣＯ２→←Ｈ２Ｏ＋Ｈ２ＣＯ３→←Ｈ３Ｏ＋＋ＨＣＯ３−．
したがって、炭酸の塩、すなわち炭酸塩および炭酸水素塩は、揮発性二酸化炭素と平衡状態にあり、特に短期または中期貯蔵の試薬で重炭酸イオンを供給する薬剤として適切である。他方、炭酸エステルは、特に少なくとも４週間、一実施形態では少なくとも２ヶ月間、さらなる実施形態では少なくとも３ヶ月間、さらなる実施形態では少なくとも６ヶ月間の長期貯蔵の試薬用と、特にみなすことができる。
【００３２】
驚くべきことに、本発明の基礎となる研究でわかったことは、放出混合物（前処理混合物）に重炭酸イオンを供給する薬剤を含めることによって、抽出効率に悪影響を与えることなく、カオトロピック剤の濃度を低下し得ることである。したがって、一実施形態では、（ｉ）前記カオトロピック剤と（ｉｉ）重炭酸イオンを供給する前記少なくとも１種の薬剤によって理論上供給される重炭酸イオンとの濃度の合計は、少なくとも１．５Ｍであり、一実施形態では１．５Ｍから４Ｍまでである。
【００３３】
上記の通り、特に長時間接触させた場合、分析物およびその抽出の効率は極端なｐＨに敏感となる場合がある。したがって、接触ステップの間のｐＨは、一実施形態では３から９まで、一実施形態では４から８まで、さらなる実施形態では５から７．５までである。一実施形態では、接触ステップの間のｐＨは６．５±１．５であり、さらなる実施形態では６．５±１であり、さらなる実施形態では６．５±０．５であり、さらなる実施形態では６．５±０．３である。さらに、分析物およびその抽出の効率は、特に長時間接触させた場合、温度偏差に敏感となる場合がある。したがって、一実施形態では、接触ステップは、一実施形態では、最高でも５０℃、一実施形態では最高でも４５℃、さらなる実施形態では最高でも４０℃の温度で行われる。一実施形態では、接触ステップは、少なくとも０℃、一実施形態では少なくとも１０℃、さらなる実施形態では少なくとも２０℃、さらなる実施形態では少なくとも２５℃、さらなる実施形態では少なくとも３０℃の温度で行われる。したがって、一実施形態では、接触ステップは、１０℃から５０℃までの、一実施形態では２０℃から４５℃までの、さらなる実施形態では２５℃から４０℃までの、さらなる実施形態では３７℃±２℃の、さらなる実施形態では約３７℃の、さらなる実施形態では３７℃の、温度で行われる。一実施形態では、接触ステップは最長でも１時間、一実施形態では最長でも３０分間、さらなる実施形態では最長でも２０分間行われる。一実施形態では、接触ステップは、少なくとも２分間、一実施形態では少なくとも３分間、さらなる実施形態では少なくとも５分間、さらなる実施形態では少なくとも８分間、さらなる実施形態では、少なくとも１２分間行われる。したがって、一実施形態では、接触ステップは、２から３０分までの間、一実施形態では３から２０分までの間、さらなる実施形態では５から１５分までの間行われる。当業者であれば、例えば、目的の分析物を意図した条件下でインキュベートし、インキュベーション後に残っている目的の分析物の量を決定することによって、目的の分析物を放出するために上に指示した条件の適合性を、検証することができる。一実施形態では、ｐＨおよび温度に関する上記条件は、手順全体の間維持される、すなわち、一実施形態では、分析物を放出する方法が行われ、一方、さらなる実施形態では、少なくとも１種の分析物を決定する方法が行われる。
【００３４】
分析物を放出する方法は、試料をさらなる薬剤に接触させるステップを含んでもよい。例えば、一実施形態では、放出混合物は、還元剤、例えば、タンパク質中のジスルフィド結合を還元するチオールまたは他の薬剤を、特に２−メルカプトエタノール、２−メルカプトエチルアミン−ＨＣｌ、ＴＣＥＰ、システイン−ＨＣｌ、ホモシステイン−ＨＣｌ、ジチオトレイトール（ＤＴＴ）、ジチオエリスロール（ＤＴＥ）、Ｎ−メチルマレイミド、エルマン試薬および１，２−ジチオラン−３−カルボン酸を、さらに含んでもよい。さらに、一実施形態では、ｐＨ安定化剤が、例えば緩衝剤が含まれてもよい。
【００３５】
有利には、本発明の基礎となる研究でわかったことは、試料を、特に血液または血液由来試料を本発明の化合物と接触させるステップによって、ビタミンＤなどの抽出が困難であると当技術分野で知られている化合物を含めて、特に広範囲の化学化合物が高い効率で抽出できる、ことである。したがって、本発明は、高度に効率的な汎用的抽出方法および相応する試薬を提供するが、これらは、ステロイドホルモン、オリゴペプチド、ポリケチド、およびビタミンを抽出するのに、特に上記の化合物クラスのうちの２種以上のメンバーが同時に抽出される場合に、特によく適する。さらに、放出混合物に重炭酸イオンを供給する薬剤を含めることによって、完全な放出に必要なカオトロピック剤の量を著しく低減させることができ、したがってイオン抑制などの質量分析における問題を特に回避できることがわかった。
【００３６】
上でなされた定義は、必要な変更を加えて以下に適用される。下でさらになされるさらなる定義および説明は、本明細書に記載される全ての実施形態についても、必要な変更を加えて適用される。
【００３７】
本発明はさらに、（ｉ）カオトロピック剤、（ｉｉ）有機溶媒、（ｉｉｉ）界面活性剤、および（ｉｖ）重炭酸イオンを供給する少なくとも１種の薬剤を含む、試料から分析物を放出するための放出剤に関する。
【００３８】
本明細書で使用する場合、用語「放出剤」とは、少なくとも特定された化学化合物を含む混合物に関する。原則として、放出剤は、固体形態で提供されてもよく、一実施形態では適切な濃度で溶解していてもユーザーによって試料に直接加えられてもよい。一実施形態では、放出剤は、少なくとも特定の化合物を含む水溶液である。さらなる実施形態では、放出試薬は、３倍濃縮溶液であり、一実施形態ではすぐに使用できる状態である、すなわち、本明細書で特定の試料への直接３倍希釈向けに、すなわち、放出剤１部を試料２部と組み合わせることによって、提供される。当業者であれば明らかなように、放出剤はまた、様々な濃度比で、例えば、一実施形態では、２倍、４倍、または５倍濃縮物として提供されてもよい。当業者であれば、特に放出剤の成分の溶解度を、また試料のおよび目的とする分析物の特定の特性をも考慮して、特定の用途に応じて放出剤の濃縮係数を確立することができる。例えば、分析物が試料中に高度に濃縮されている場合、試料の強い希釈が必要である放出剤を、例えば１．１倍濃縮の放出剤を提供することが適切であろう。他方、分析物が低濃度で試料中に存在すると予想される場合、より高い濃縮係数が考えられる。
【００３９】
一実施形態では、放出剤は３倍濃縮溶液である。したがって、一実施形態では、放出剤中の、特に３倍濃縮放出剤中のカオトロピック剤の濃度は、２Ｍから飽和まで、一実施形態では２．５Ｍから６Ｍまでである。さらなる実施形態では、放出剤中の、特に３倍濃縮放出剤中の有機溶媒の濃度は、２％（ｖ／ｖ）から３０％（ｖ／ｖ）まで、一実施形態では５％（ｖ／ｖ）から２０％（ｖ／ｖ）まで、一実施形態では１５％（ｖ／ｖ）から２０％（ｖ／ｖ）までである。さらなる実施形態では、放出剤中の、特に３倍濃縮放出剤中の界面活性剤の濃度は、０．５％（ｗ／ｖ）から２０％（ｗ／ｖ）まで、一実施形態では１％（ｗ／ｖ）から３％（ｗ／ｖ）までである。さらなる実施形態では、放出剤中の、特に３倍濃縮放出剤中の、重炭酸イオンを供給する少なくとも１種の薬剤によって理論上供給される重炭酸イオンの濃度は、０．１Ｍから６Ｍまで、一実施形態では０．５Ｍから２Ｍまでである。さらなる実施形態では、（ｉ）カオトロピック剤と（ｉｉ）放出剤中の、特に３倍濃縮放出剤中の重炭酸イオンを供給する前記少なくとも１種の薬剤によって理論上供給される重炭酸イオンとの濃度の合計は少なくとも２Ｍであり、一実施形態では３Ｍから８Ｍまでである。したがって、一実施形態では、放出剤中の、特に３倍濃縮放出剤中の、カオトロピック剤の濃度は２Ｍから飽和まで、一実施形態では２．５Ｍから６Ｍまでである；有機溶媒の濃度は２％（ｖ／ｖ）から３０％（ｖ／ｖ）まで、一実施形態では５％（ｖ／ｖ）から２０％（ｖ／ｖ）まで、一実施形態では１５％（ｖ／ｖ）から２０％（ｖ／ｖ）までである；界面活性剤の濃度は、０．５％（ｗ／ｖ）から２０％（ｗ／ｖ）まで、一実施形態では１％（ｗ／ｖ）から３％（ｗ／ｖ）までである；および、重炭酸イオンを供給する少なくとも１種の薬剤によって理論上供給される重炭酸イオンの濃度は、０．１Ｍから６Ｍまで、一実施形態では０．５Ｍから２Ｍまでである；ならびに、任意選択で、（ｉ）カオトロピック剤と（ｉｉ）重炭酸イオンを供給する前記少なくとも１種の薬剤によって理論上供給される重炭酸イオンとの濃度の合計は少なくとも２Ｍであり、一実施形態では３Ｍから８Ｍまでである。
【００４０】
放出剤は、特定の化合物に加えて複数の化合物を含んでもよい。例えば、一実施形態では、チオール化合物、緩衝剤等。
本発明はまた、（ｉ）カオトロピック剤、（ｉｉ）有機溶媒、（ｉｉｉ）界面活性剤、および（ｉｖ）重炭酸イオンを供給する少なくとも１種の薬剤を含む組成物、一実施形態では本発明による放出剤、ならびに／または、試料から少なくとも１種の分析物を放出するための、本発明の、試料から分析物を放出する方法、の使用に関する。
【００４１】
さらに、本発明は、ハウジングに備えられた、（ｉ）カオトロピック剤、（ｉｉ）有機溶媒、（ｉｉｉ）界面活性剤、および（ｉｖ）重炭酸イオンを供給する少なくとも１種の薬剤を含み、一実施形態では本発明の放出剤を含み、一実施形態では少なくとも１種の分析物向けの少なくとも１種の検出剤をさらに含むキットに、関する。
【００４２】
用語「キット」とは、本明細書で使用する場合、一緒にパッケージされていてもされていなくてもよい、本発明の上述の化合物、手段または試薬の集合を指す。キットの成分は、個別のハウジングによって構成してもよく（すなわち、個別の部品のキットとして）、２種以上の成分が単一のハウジングで提供されてもよい。したがって、キットは、それぞれの化合物として、例えば、ユーザーによる溶解向けの純粋な化合物として、および／またはすぐに使用できる状態の溶液として、指示された化合物を含むことができる。キットはまた、上記の化合物のうちの２種以上の混合物を、例えばカオトロピック剤と重炭酸イオンを供給する少なくとも１種の薬剤とを含む試薬および有機溶媒と界面活性剤とを含む第２の試薬を、含んでもよい。あるいは、キットは、上記の化合物の全てを含む試薬を含んでもよく、特に、本発明の放出剤を含んでもよい。さらに、本発明のキットは、一実施形態では、試料から分析物を放出する方法および／または本明細書で言及の、試料中の少なくとも１種の分析物を決定する方法を実施するのに使用されるものであることを理解されたい。一実施形態では、本明細書で言及の方法を実施するために、すぐに使用できる状態の様式で成分が提供されることが想定される。一実施形態では、前記化合物の全てまたは一部が濃縮液体形態で提供されるが、この場合、本明細書の他で明記の通り、濃縮成分は水性緩衝溶液または水などの液体を使用して希釈される。さらに、キットは、一実施形態では、前記方法を実行するための指示書を含有する。指示書は紙または電子形態のユーザーマニュアルによって提供できる。加えて、マニュアルは、本発明のキットを使用して上述の方法を実施する際に得られた結果を解釈するための指示書を含んでもよい。一実施形態では、キットは、本発明の方法を行うための、水、緩衝剤、および／または適切な容器をさらに含む。
【００４３】
キットは、少なくとも１種の分析物向けの検出剤をさらに含んでもよい。用語「検出剤」とは、本明細書で使用する場合、分析物の検出を助ける任意の薬剤に関する。したがって、検出剤は、分析物と相互作用するかまたは化学反応を起こす化学化合物であり得る。一実施形態では、検出剤は、本発明の分析物に直接的または間接的に結合する化学分子である。当業者であれば当然のことながら、検出剤はまた間接検出剤であり得る、すなわち、検出剤が分析物に直接に接触しないが、それ自体が分析物に結合するさらなる化合物による。一実施形態では、検出剤は直接検出剤である、すなわち、分析物に直接に結合する薬剤である。一実施形態では、検出剤は抗体であり、一実施形態ではＩｇＧである。一実施形態では、検出剤はモノクローナル抗体である。さらなる実施形態では、検出剤は、指示薬化合物に、すなわち、当業者であれば知っている手段によって、試料中におけるその存在を検出できる化合物に、結合した抗体である。既知の指示薬化合物には、色素、電気化学的に活性な基、またはラテックスビーズなどのビーズが含まれる。一実施形態では、キットは抽出容器をさらに含み、これは、単回抽出用の容器、例えばプラスチックチューブまたはエッペンドルフカップ、または多回抽出用のデバイス、特にマルチウェルプレート、例えば９６ウェルプレート、であり得る。一実施形態では、抽出容器は、所定量のまたは所定容量の本発明の放出試薬を含むことができる；例えば、一実施形態では、所定容量がマルチウェルプレートのウェルに提供されても、前記ウェル中で乾燥されていてもよい。
【００４４】
本発明はまた、試料中の少なくとも１種の分析物を決定する方法に関するものであり、
（ａ）本発明に従う試料から分析物を放出する方法に従って前記分析物を放出して、抽出物を発生させるステップ；
（ｂ）前記抽出物中の前記放出された分析物を決定するステップ；および、それによって、
（ｃ）試料中の前記分析物を決定するステップ、
を含む。
【００４５】
用語「決定する（ステップ）」とは、本明細書で使用する場合、試料から得られた抽出物において決定しようとする分析物の少なくとも１つの特長を決定することを指す。本発明による特長は、分析物の生化学的特性を含めて、物理的および／または化学的特性の特色を示す特徴である。かかる特性には、例えば、分子量、粘度、密度、電荷、スピン、光学活性、色、蛍光、化学発光、元素組成、化学構造、他の化合物と反応する能力、生物学的読出しシステムで応答を引き出す能力（例えば、レポーター遺伝子の誘導）等が含まれる。前記特性の値は特長として役に立つ可能性があり、当技術分野で周知されている技法によって決定することができる。さらに、特長は任意の特徴であり得、これは、標準的な操作によって、例えば、乗算、除算、または対数計算などの数学的計算によって、分析物の物理的および／または化学的特性の値から導出される。一実施形態では、少なくとも１つの特長を使用すれば、分析物およびその量の決定および／または化学的同定が可能になる。したがって、一実施形態では、特性値はまた、特性値が由来する分析物の存在量に関する情報も含む。例えば、分析物の特性値は、質量スペクトルのピークである場合もある。このようなピークは、分析物の特性情報を；すなわち、ｍ／ｚ情報を、ならびに抽出物中の前記分析物の存在量（すなわちその量）に関連する強度値を、含有する。
【００４６】
試料が含む分析物は、一実施形態では、本発明に従って定量的または半定量的に決定し得る。定量的決定の場合、上で本明細書に参照された特長について決定された値に基づいて、分析物の絶対量もしくは正確な量が決定されるか、または、分析物の相対量が決定されるかの、いずれかである。相対量は、分析物の正確な量が決定できない場合または決定されない場合に決定してよい。前記の場合、分析物の存在量が、前記分析物を第２の量で含む第２の試料と対比して増加または低減しているかどうかを、判定できる。したがって、分析物の定量分析には、分析物の半定量分析と呼ばれることもある分析も含まれる。
【００４７】
さらに、本発明の方法で使用する場合、決定するステップは、一実施形態では、先に参照した分析ステップの前に化合物分離ステップを使用することを含む。一実施形態では、前記化合物分離ステップによって、試料が含む代謝物の時間分解分離が得られる。したがって、本発明に従って使用される分離に適切な技法には、全てのクロマトグラフィー分離技法、例えば、液体クロマトグラフィー（ＬＣ）、高速液体クロマトグラフィー（ＨＰＬＣ）、ガスクロマトグラフィー（ＧＣ）、薄層クロマトグラフィー、サイズ排除クロマトグラフィー、またはアフィニティークロマトグラフィーが含まれる。これらの技法は、当技術分野で周知されており、当業者であればさらに苦心することなく適用可能である。一実施形態では、ＬＣおよび／またはＧＣが、本発明の方法で想定されるクロマトグラフィー技法である。分析物のかかる決定に適切なデバイスは、当技術分野でも知られている。一実施形態では、質量分析が分析物の決定に使用されるが、特に、ガスクロマトグラフィー質量分析（ＧＣ−ＭＳ）、液体クロマトグラフィー質量分析（ＬＣ−ＭＳ）、直接注入質量分析もしくはフーリエ変換イオンサイクロトロン共鳴質量分析（ＦＴ−ＩＣＲ−ＭＳ）、キャピラリー電気泳動質量分析（ＣＥ−ＭＳ）、高速液体クロマトグラフィー連結質量分析（ＨＰＬＣ−ＭＳ）、四重極質量分析、任意の逐次連結質量分析、例えばＭＳ−ＭＳもしくはＭＳ−ＭＳ−ＭＳ、誘導結合プラズマ質量分析（ＩＣＰ−ＭＳ）、熱分解質量分析（Ｐｙ−ＭＳ）、イオン移動度質量分析、または飛行時間質量分析（ＴＯＦ）である。質量分析技法の別の方法としてまたはそれに加えて、以下の技法を化合物決定に使用可能である：核磁気共鳴（ＮＭＲ）、磁気共鳴イメージング（ＭＲＩ）、フーリエ変換赤外分析（ＦＴ−ＩＲ）、紫外（ＵＶ）分光、屈折率（ＲＩ）、蛍光検出、放射化学的検出、電気化学的検出、光散乱（ＬＳ）、分散ラマン分光、またはフレームイオン化検出（ＦＩＤ）。これらの技法は、当業者であれば周知しており、さらに苦心することなく適用可能である。本発明の方法は、一実施形態では、自動化により支援される。例えば、試料の処理をロボット工学により自動化することが可能である。データの処理および比較は、一実施形態では、適切なコンピュータープログラムおよびデータベースにより支援される。前に本明細書で記載の自動化により、本発明の方法をハイスループットアプローチで使用することが可能となる。したがって、一実施形態では、本発明の方法は、多数の分析物を決定する方法であり、ここで、一実施形態では前記多数とは少なくとも２種、一実施形態では少なくとも４種、さらなる実施形態では少なくとも１０種、さらなる実施形態では少なくとも２５種、さらなる実施形態では少なくとも５０種の分析物のことである。さらなる実施形態では、少なくとも１種の分析物を決定するための方法のステップａ）に従って、１つの抽出物からからまたは多数の抽出物から多数の分析物が決定される。
【００４８】
さらに、少なくとも１種の分析物はまた、特異的な化学的または生物学的アッセイにより決定することができる。前記アッセイは、試料中の少なくとも１種の分析物を特異的に検出することを可能にする手段を含む。一実施形態では、前記手段は、分析物の化学構造を特異的に認識することができるか、または他の化合物と反応する能力もしくは生物学的読取りシステムで応答を引き起こすその能力（例えば、レポーター遺伝子の誘導）に基づいて分析物を特異的に同定することができる。分析物の化学構造を特異的に認識することができる手段は、一実施形態では、化学構造と特異的に相互作用する抗体または他のタンパク質、例えば、受容体もしくは酵素である。例を挙げると、特異的抗体は、当技術分野で周知されている方法により分析物を抗原として使用して得ることができる。本明細書に参照する抗体には、ポリクローナル抗体およびモノクローナル抗体の両方、ならびにそれらの断片、例えば、抗原またはハプテンを結合することができるＦｖ、Ｆａｂ、およびＦ（ａｂ）２断片が含まれる。さらに、単鎖抗体およびナノボディも包含される。また、所望の抗原特異性を呈する非ヒトドナー抗体のアミノ酸配列とヒトアクセプター抗体の配列とが組み合わされたヒト化ハイブリッド抗体も含まれる。ドナー配列は普通、ドナーの少なくとも抗原結合性アミノ酸残基を含むが、ドナー抗体の他の構造上および／または機能上重要なアミノ酸残基をも含み得る。そのようなハイブリッドは、当技術分野で周知されているいくつかの方法により調製することができる。分析物を特異的に認識できる適切なタンパク質は、一実施形態では、前記分析物の代謝転換に関与する酵素である。前記酵素は、分析物を基質として使用しても、または基質を分析物に変換しても、いずれでもよい。さらに、前記抗体は、分析物を特異的に認識するオリゴペプチドを生成する基礎として使用することができる。これらのオリゴペプチドは、例えば、前記分析物に対する酵素の結合ドメインまたは結合ポケットを含む。適切な抗体および／または酵素をベースとするアッセイは、ＲＩＡ（ラジオイムノアッセイ）、ＥＬＩＳＡ（酵素結合免疫吸着アッセイ）、サンドイッチ酵素免疫試験、電気化学発光サンドイッチ免疫アッセイ（ＥＣＬＩＡ）、解離促進ランタニド蛍光免疫アッセイ（ＤＥＬＦＩＡ）、または固相免疫試験であり得る。さらに、他の化合物と反応する能力に基づいて、すなわち、特異的な化学反応により、分析物を決定することもできる。さらに、生物学的読取りシステムで応答を引き起こす能力によって、試料中の分析物を決定することができる。生物学的応答は、試料が含む分析物の存在および／または量を指示する読取り値として検出される。生物学的応答は、例えば、遺伝子発現の誘導または細胞もしくは生物の表現型応答であり得る。一実施形態では、少なくとも１種の分析物の決定は定量的プロセスであり、例えば、試料中の少なくとも１種の分析物の量を決定することも可能とする。
【００４９】
本発明は、本発明による放出剤を含む、試料中の分析物を決定するためのおよび／または本発明の方法を行うように構成された、デバイスにさらに関する。
用語「デバイス」とは、本明細書で使用する場合、決定が可能となるように互いに作動可能に連結された、少なくとも記載の手段を含む手段のシステムに関する。操作する様式においてデバイス手段をいかに連結するかは、デバイスに組み込まれる手段の種類に依存する。一実施形態では、手段は単一のデバイスによって備えられる。一実施形態では、デバイスは少なくとも分析ユニットを含み、前記分析ユニットは試料から少なくとも１種の分析物の抽出を行うように構成される；一実施形態では、分析ユニットは、本発明による放出剤を含む、および／または本発明の方法を行うように構成される。分析ユニットはまた、少なくとも１種の分析物を検出するように構成することができる。さらに、デバイスは、分析ユニットから得られたデータを、例えば分析物の決定に関するデータを評価するための評価ユニットをさらに含むことができる。
【００５０】
したがって、一実施形態では、デバイスは、少なくとも１種の分析物を決定するために適合させた分析ユニット、および／または前記試料中の前記分析物の量および／または濃度を計算するために適合させた評価ユニットをさらに含む。したがって、一実施形態では、デバイスは分析デバイスであり、一実施形態ではｉｎ  ｖｉｔｒｏ診断デバイスである。当業者であれば、上記の手段を連結する方法をさらに苦心することなく実現するであろう。一実施形態では、デバイスは、本明細書に記載のさらなる特徴を含ませるために適合させる。
【００５１】
上記を鑑みて、以下の実施形態が特に想定される：
１．試料から分析物を放出するｉｎ  ｖｉｔｒｏ方法であって、前記試料を、（ｉ）カオトロピック剤、（ｉｉ）有機溶媒、（ｉｉｉ）界面活性剤、および（ｉｖ）重炭酸イオンを供給する少なくとも１種の薬剤と接触させるステップを含む、方法。
【００５２】
２．前記カオトロピック剤の濃度は１Ｍから４Ｍまで、一実施形態では２Ｍから３．５Ｍまでである、実施形態１に記載の方法。
３．前記有機溶媒の濃度は２％（ｖ／ｖ）から２０％（ｖ／ｖ）まで、一実施形態では３％（ｖ／ｖ）から１５％（ｖ／ｖ）まで、一実施形態では５％（ｖ／ｖ）から１０％（ｖ／ｖ）までである、実施形態１または２に記載の方法。
【００５３】
４．前記界面活性剤の濃度は０．２％（ｗ／ｖ）から２０％（ｗ／ｖ）まで、一実施形態では０．３％（ｗ／ｖ）から２％（ｗ／ｖ）までである、実施形態１から３のいずれか一形態に記載の方法。
【００５４】
５．重炭酸イオンを供給する前記少なくとも１種の薬剤によって理論上供給される重炭酸イオンの濃度は、０．１Ｍから２Ｍまで、一実施形態では０．２Ｍから０．５Ｍまでである、実施形態１から４のいずれか一形態に記載の方法。
【００５５】
６．（ｉ）前記カオトロピック剤と（ｉｉ）重炭酸イオンを供給する前記少なくとも１種の薬剤によって理論上供給される重炭酸イオンとの濃度の合計は、少なくとも１．５Ｍであり、一実施形態では１．５Ｍから４Ｍまでである、実施形態１から５のいずれか一形態に記載の方法。
【００５６】
７．前記濃度は、前記接触ステップの間の処理された試料における濃度である、実施形態１から６のいずれか一形態に記載の方法。
８．前記試料は生体試料である、一実施形態では対象からの生体試料である、実施形態１から７のいずれか一形態に記載の方法。
【００５７】
９．前記試料は体液試料であり、一実施形態では血液、血漿、または血清の試料である、実施形態１から８のいずれか一形態に記載の方法。
１０．前記分析物のうちの少なくとも１種は低分子量の分析物であり、一実施形態では５０００Ｄａ未満の分子質量を有し、一実施形態では２０００Ｄａ未満の分子質量を有する、実施形態１から９のいずれか一形態に記載の方法。
【００５８】
１１．前記分析物は、ステロイドホルモン、オリゴペプチド、ポリケチド、およびビタミンのうちの少なくとも１種を含む、実施形態１から１０のいずれか一形態に記載の方法。
【００５９】
１２．前記分析物は、ステロイドホルモン、オリゴペプチド、ポリケチド、およびビタミンのうちの少なくとも２種を、一実施形態では少なくとも３種を、さらなる実施形態では全てを含む、実施形態１から１１のいずれか一形態に記載の方法。
【００６０】
１３．前記ステロイドホルモンは、アンドロゲン、エストロゲン、およびプロゲストゲンのうちの少なくとも１種であり、一実施形態ではテストステロンである、実施形態１から１２のいずれか一形態に記載の方法。
【００６１】
１４．前記オリゴペプチドは内因性または治療用オリゴペプチドであり、一実施形態では、環状オリゴペプチドであり、一実施形態では環状オリゴペプチド抗生物質であり、一実施形態ではシクロスポリンである、実施形態１から１３のいずれか一形態に記載の方法。
【００６２】
１５．前記ポリケチドはマクロライドであり、一実施形態では抗生物質マクロライドおよび免疫抑制性マクロライドのうちの少なくとも１種であり、一実施形態ではタクロリムス、シロリムス、またはエベロリムスであり、さらなる実施形態ではエベロリムスである、実施形態１から１４のいずれか一形態に記載の方法。
【００６３】
１６．前記ビタミンはヒトビタミンであり、一実施形態では疎水性のヒトビタミンであり、さらなる実施形態ではヒトのＡ、Ｂ、またはＤビタミンであり、さらなる実施形態ではビタミンＤであり、さらなる実施形態ではビタミンＤ３であり、さらなる実施形態では２５−ヒドロキシ−ビタミンＤ３である、実施形態１から１５のいずれか一形態に記載の方法。
【００６４】
１７．前記分析物は、テストステロン、シクロスポリン、エベロリムス、および２５−ヒドロキシ−ビタミンＤ３のうちの少なくとも１種を、一実施形態では少なくとも２種を、さらなる実施形態では少なくとも３種を、さらなる実施形態では全てを含む、実施形態１から１６のいずれか一形態に記載の方法。
【００６５】
１８．前記カオトロピック剤、有機溶媒、界面活性剤、および任意選択で、環状炭酸エステルが、３倍濃縮放出剤から、一実施形態では実施形態１９から３４のいずれか一形態に記載の放出剤から提供される、実施形態１から１７のいずれか一形態に記載の方法。
【００６６】
１９．（ｉ）カオトロピック剤、（ｉｉ）有機溶媒、（ｉｉｉ）界面活性剤、および（ｉｖ）重炭酸イオンを供給する少なくとも１種の薬剤を含む、
試料から分析物を放出するための放出剤。
【００６７】
２０．前記放出剤は３倍濃縮溶液である、実施形態１９に記載の放出剤。
２１．前記カオトロピック剤の濃度は２Ｍから飽和まで、一実施形態では２．５Ｍから６Ｍまでである、実施形態１９または２０に記載の放出剤。
【００６８】
２２．前記有機溶媒の濃度は２％（ｖ／ｖ）から３０％（ｖ／ｖ）まで、一実施形態では５％（ｖ／ｖ）から２０％（ｖ／ｖ）まで、一実施形態では１５％（ｖ／ｖ）から２０％（ｖ／ｖ）までである、実施形態１９から２１のいずれか一形態に記載の放出剤。
【００６９】
２３．前記界面活性剤の濃度は、０．５％（ｗ／ｖ）から２０％（ｗ／ｖ）まで、一実施形態では１％（ｗ／ｖ）から３％（ｗ／ｖ）までである、実施形態１９から２２のいずれか一形態に記載の放出剤。
【００７０】
２４．重炭酸イオンを供給する前記少なくとも１種の薬剤によって理論上供給される重炭酸イオンの濃度は、０．１Ｍから６Ｍまで、一実施形態では０．５Ｍから２Ｍまでである、実施形態１９から２３のいずれか一形態に記載の放出剤。
【００７１】
２５．（ｉ）前記カオトロピック剤と（ｉｉ）重炭酸イオンを供給する前記少なくとも１種の薬剤によって理論上供給される重炭酸イオンとの濃度の合計は少なくとも２Ｍであり、一実施形態では３Ｍから８Ｍまでである、実施形態１９から２４のいずれか一形態に記載の放出剤。
【００７２】
２６．前記カオトロピック剤は硫黄原子を含まない薬剤である、実施形態１から１８のいずれか一形態に記載の方法または実施形態１９から２５のいずれか一形態に記載の放出剤。
【００７３】
２７．前記カオトロピック剤は塩酸グアニジンおよび／または尿素であり、一実施形態では塩酸グアニジンである、実施形態１から１８のいずれか一形態に記載の方法または実施形態１９から２６のいずれか一形態に記載の放出剤。
【００７４】
２８．前記有機溶媒はアセトニトリルである、実施形態１から１８のいずれか一形態に記載の方法または実施形態１９から２７のいずれか一形態に記載の放出剤。
２９．前記界面活性剤は非イオン性界面活性剤であり、一実施形態ではアルキル−グリコシドである、実施形態１から１８のいずれか一形態に記載の方法または実施形態１９から２８のいずれか一形態に記載の放出剤。
【００７５】
３０．前記界面活性剤は、５から１２個までの炭素原子を有するアルキル鎖を持つアルキル−グリコシドであり、さらなる実施形態では、５から１２個までの炭素原子を有するアルキル鎖を持つアルキル−グルコシドであり、さらなる実施形態ではオクチルグリコシドであり、さらなる実施形態ではオクチル−グルコシドであり、さらなる実施形態では、β−Ｄ−オクチル−グルコシド（（２Ｒ，３Ｓ，４Ｓ，５Ｒ，６Ｒ）−２−（ヒドロキシメチル）−６−オクトオキシオキサン−３，４，５−トリオール、ＣＡＳ番号：２９８３６−２６−８）である、実施形態１から１８のいずれか一形態に記載の方法または実施形態１９から２９のいずれか一形態に記載の放出剤。
【００７６】
３１．重炭酸イオンを供給する前記少なくとも１種の薬剤は、環状炭酸エステルを含み、一実施形態ではエチレンカーボネート（１，３−ジオキソラン−２−オン、ＣＡＳ番号：９６−４９−１）を含むかまたはそれである、実施形態１から１８のいずれか一形態に記載の方法または実施形態１９から３０のいずれか一形態に記載の放出剤。
【００７７】
３２．前記試料は生体試料である、一実施形態では対象からの生体試料である、実施形態１９から３１のいずれか一形態に記載の放出剤。
３３．前記試料は体液試料であり、一実施形態では血液、血漿、または血清の試料である、実施形態１９から３２のいずれか一形態に記載の放出剤。
【００７８】
３４．前記放出剤は水溶液である、実施形態１９から３３のいずれか一形態に記載の放出剤。
３５．（ｉ）カオトロピック剤、（ｉｉ）有機溶媒、（ｉｉｉ）界面活性剤、および（ｉｖ）重炭酸イオンを放出剤に供給する少なくとも１種の薬剤を含む組成物、一実施形態では実施形態１９から３４のいずれか一形態に記載の放出剤、ならびに／または、試料から少なくとも１種の分析物を放出するための実施形態１から１８のいずれか一形態に記載の方法、の使用。
【００７９】
３６．ハウジングに備えられた、（ｉ）カオトロピック剤、（ｉｉ）有機溶媒、（ｉｉｉ）界面活性剤、および（ｉｖ）重炭酸イオンを供給する少なくとも１種の薬剤を含み、一実施形態では本発明の放出剤を含み、一実施形態では少なくとも１種の分析物向けの少なくとも１種の検出剤をさらに含む、キット。
【００８０】
３７．試料中の少なくとも１種の分析物を決定する方法であって、
（ａ）実施形態１から１８のいずれか一形態に記載の方法に従って前記分析物を放出して、抽出物を発生させるステップ；
（ｂ）前記抽出物中の前記放出された分析物を決定するステップ；および、それによって、
（ｃ）試料中の前記分析物を決定するステップ、
を含む方法。
【００８１】
３８．前記方法は多数の分析物を決定する方法である、実施形態３７に記載の方法。
３９．前記多数とは少なくとも２種、一実施形態では少なくとも４種、さらなる実施形態では少なくとも１０種、さらなる実施形態では少なくとも２５種、さらなる実施形態では少なくとも５０種の分析物のことである、実施形態３７または３８に記載の方法。
【００８２】
４０．前記多数の分析物は、ステップａ）に従って１つの抽出物からまたは多数の抽出物から決定される、実施形態３７から３９のいずれか一形態に記載の方法。
４１．実施形態１９から３４のいずれか一形態に記載の放出剤を含む、試料中の分析物を決定するための、ならびに／または実施形態１から１８および／もしくは３７から４０のいずれか一形態に記載の方法を行うように構成された、デバイス。
【００８３】
４２．前記デバイスは分析デバイスであり、一実施形態ではｉｎ  ｖｉｔｒｏ診断デバイスである、実施形態４１に記載のデバイス。
４３．前記デバイスは、少なくとも１種の分析物を決定するために適合させた分析ユニット、および／または前記試料中の前記分析物の量および／または濃度を計算するために適合させた評価ユニットをさらに含む、実施形態４１または４２に記載のデバイス。
【００８４】
４４．前記接触させるステップは、６．５±０．３のｐＨで前記試料を、
（ｉ）約３．３Ｍの濃度で塩化グアニジニウム、約０．３３Ｍの濃度でエチレンカーボネート、約１０％の濃度（ｖ／ｖ）でアセトニトリル、および約１％の濃度（ｗ／ｖ）でベータ−オクチル−グルコシド；
（ｉｉ）約１．３Ｍの濃度で塩化グアニジニウム、約０．３３Ｍの濃度でエチレンカーボネート、約１０％の濃度（ｖ／ｖ）でアセトニトリル、および約１％の濃度（ｗ／ｖ）でベータ−オクチル−グルコシド；
（ｉｉｉ）約２Ｍの濃度で塩化グアニジニウム、約０．２Ｍの濃度でエチレンカーボネート、約６％の濃度（ｖ／ｖ）でアセトニトリル、および約０．６％の濃度（ｗ／ｖ）でベータ−オクチル−グルコシド；または
（ｉｖ）約１．３Ｍの濃度で塩化グアニジニウム、約０．８Ｍの濃度でエチレンカーボネート、約６％の濃度（ｖ／ｖ）でアセトニトリル、および約０．６％の濃度（ｗ／ｖ）でベータ−オクチル−グルコシド、
に接触させるステップを含む、実施形態１から１８または３７から４０のいずれか一形態に記載の方法。
【００８５】
４５．前記接触させるステップは、６．５±０．３のｐＨで前記試料を、
（ｉ）３．３Ｍの濃度で塩化グアニジニウム、０．３３Ｍの濃度でエチレンカーボネート、１０％の濃度（ｖ／ｖ）でアセトニトリル、および１％の濃度（ｗ／ｖ）でベータ−オクチル−グルコシド；
（ｉｉ）１．３Ｍの濃度で塩化グアニジニウム、０．３３Ｍの濃度でエチレンカーボネート、１０％の濃度（ｖ／ｖ）でアセトニトリル、および１％の濃度（ｗ／ｖ）でベータ−オクチル−グルコシド；
（ｉｉｉ）２Ｍの濃度で塩化グアニジニウム、０．２Ｍの濃度でエチレンカーボネート、６％の濃度（ｖ／ｖ）でアセトニトリル、および０．６％の濃度（ｗ／ｖ）でベータ−オクチル−グルコシド；または
（ｉｖ）１．３Ｍの濃度で塩化グアニジニウム、０．８Ｍの濃度でエチレンカーボネート、６％の濃度（ｖ／ｖ）でアセトニトリル、および０．６％の濃度（ｗ／ｖ）でベータ−オクチル−グルコシド、
に接触させるステップを含む、実施形態１から１８または３７から４０のいずれか一形態に記載の方法。
【００８６】
４６．前記放出剤は、
（ｉ）約５Ｍの濃度で塩化グアニジニウム、約０．５Ｍの濃度でエチレンカーボネート、約１５％の濃度（ｖ／ｖ）でアセトニトリル、および約１．５％の濃度（ｗ／ｖ）でベータ−オクチル−グルコシド；
（ｉｉ）約２Ｍの濃度で塩化グアニジニウム、約０．５Ｍの濃度でエチレンカーボネート、約１５％の濃度（ｖ／ｖ）でアセトニトリル、および約１．５％の濃度（ｗ／ｖ）でベータ−オクチル−グルコシド；
（ｉｉｉ）約６Ｍの濃度で塩化グアニジニウム、約０．６Ｍの濃度でエチレンカーボネート、約１８％の濃度（ｖ／ｖ）でアセトニトリル、および約１．８％の濃度（ｗ／ｖ）でベータ−オクチル−グルコシド；または
（ｉｖ）約４Ｍの濃度で塩化グアニジニウム、約２．４Ｍの濃度でエチレンカーボネート、約１８％の濃度（ｖ／ｖ）でアセトニトリル、および約１．８％の濃度（ｗ／ｖ）でベータ−オクチル−グルコシド、
を含む、実施形態２０から３４のいずれか一形態に記載の放出剤、実施形態３６のキット、または実施形態４１から４３のいずれか一形態に記載のデバイス。
【００８７】
４７．前記放出剤は、
（ｉ）５Ｍの濃度で塩化グアニジニウム、０．５Ｍの濃度でエチレンカーボネート、１５％の濃度（ｖ／ｖ）でアセトニトリル、および１．５％の濃度（ｗ／ｖ）でベータ−オクチル−グルコシド；
（ｉｉ）２Ｍの濃度で塩化グアニジニウム、０．５Ｍの濃度でエチレンカーボネート、１５％の濃度（ｖ／ｖ）でアセトニトリル、および１．５％の濃度（ｗ／ｖ）でベータ−オクチル−グルコシド；
（ｉｉｉ）６Ｍの濃度で塩化グアニジニウム、０．６Ｍの濃度でエチレンカーボネート、１８％の濃度（ｖ／ｖ）でアセトニトリル、および１．８％の濃度（ｗ／ｖ）でベータ−オクチル−グルコシド；または
（ｉｖ）４Ｍの濃度で塩化グアニジニウム、２．４Ｍの濃度でエチレンカーボネート、１８％の濃度（ｖ／ｖ）でアセトニトリル、および１．８％の濃度（ｗ／ｖ）でベータ−オクチル−グルコシド、
を含む、実施形態２０から３４のいずれか一形態に記載の放出剤、実施形態３６のキット、または実施形態４１から４３のいずれか一形態に記載のデバイス。
【００８８】
本明細書で引用した参考文献全ては、それらの全開示内容および本明細書で特記される開示内容に関して、参照により本明細書に組み入れられるものとする。
【図面の簡単な説明】
【００８９】
図において：
【図１】濃縮ビーズを用いて調製したヒト血清試料の高速ＬＣ−ＭＳクロマトグラムの図であり、ａ）は前処理無し（ＰＴ）およびｂ）は前処理（ＰＴ）試薬としてＦを用い、かつテストステロン（Ｔｅｓｔｏ）０．７ｎｇ／ｍＬを添加してある。両試料とも、ａ）およびｂ）、３回繰返しで測定されている。  ＋ＥＳＩ  ＭＲＭ  Ｆｒａｇ＝３８０．０Ｖ  ＣＦ＝０．０００  ＤＦ＝０．０００  ＣＩＤ＠２５．０（２９２．２０００→９９．８０００）  ｔｅｓｔｏ  ｌｇｃ０００ｌ．ｄ；  Ｘ軸：アクイジションタイム（秒）；Ｙ軸：カウント×１０２
【図２】濃縮ビーズワークフローによって精製された、分析物を含まないヒト全血に、６４ｎｇ／ｍＬで添加されたシクロスポリン（ＣＳＡ）のＬＣ−ＭＳ分析の図であり、ａ）前処理無し、およびｂ）はＦ４による前処理有りである。シクロスポリン  Ｄ６  ＩＳ：＋ＥＳＩ  ＭＲＭ  Ｆｒａｇ＝３８０．０Ｖ  ＣＦ＝０．０００  ＤＦ＝０．０００  ＣＩＤ＠３０．０（１２２５．８５００→１２０８．８５００）  ｃｙｃｌｏ  ｌｇｃ０００２．ｄ；シクロスポリン：＋ＥＳＩ  ＭＲＭ  Ｆｒａｇ＝３８０．０Ｖ  ＣＦ＝０．０００  ＤＦ＝０．０００  ＣＩＤ＠３０．０（１２１９．８５００→１２０２．８５００）  ｃｙｃｌｏ  ｌｇｃ０００２．ｄ；シクロスポリン  クオリファイア１：＋ＥＳＩ  ＭＲＭ  Ｆｒａｇ＝３８０．０Ｖ  ＣＦ＝０．０００  ＤＦ＝０．０００  ＣＩＤ＠６１．０（１２０８．８８００→２２４．１０００）  ｃｙｃｌｏ  ｌｇｃ０００２．ｄ；シクロスポリン  クオリファイア２：＋ＥＳＩ  ＭＲＭ  Ｆｒａｇ＝３８０．０Ｖ  ＣＦ＝０．０００  ＤＦ＝０．０００  ＣＩＤ＠３３．０（１２０２．８５００→１１８４．８０００）  ｃｙｃｌｏ  ｌｇｃ０００２．ｄ；  Ｘ軸：アクイジションタイム（秒）；Ｙ軸：カウント×１０２
【図３】濃縮ビーズワークフローによって精製された、分析物を含まないヒト血清に、２５０ｐｇ／ｍＬで添加されたテストステロン（Ｔｅｓｔｏ）のＬＣＭＳ分析の図であり、ａ）前処理無し、およびｂ）はＦ４による前処理有りである。  ａ）＋ＥＳＩ  ＭＲＭ  Ｆｒａｇ＝３８０．０Ｖ  ＣＦ=０．０００  ＤＦ=０．０００  ＣＩＤ＠２５．０（２８９．２２００→９６．８０００）  試料  １６．ｄ；  ｂ）＋ＥＳＩ  ＭＲＭ  Ｆｒａｇ＝３８０．０Ｖ  ＣＦ＝０．０００  ＤＦ＝０．０００  ＣＩＤ＠２５．０（２８９．２２００→９６．８０００）  試料  ４．ｄ；  Ｘ軸：アクイジションタイム（秒）；Ｙ軸：カウント×１０２  以下の実施例は、本発明を単に例示するものである。それらは、何であれ、本発明の範囲を限定するものと解釈してはならない。
【実施例】
【００９０】
実施例１
方法
試料：
ビタミンＤ（ＶｉｔＤ）向けの試料：ヒトＥＤＴＡ血漿、ＶｉｔＤ  ０および１４０または７００ｎｇ／ｍＬを有する。
【００９１】
テストステロン（Ｔｅｓｔｏ）向けの試料：ヒトＥＤＴＡ血漿、Ｔｅｓｔｏ  ０および１５ｎｇ／ｍＬを有する。
シクロスポリン（ＣＳＡ）向けの試料：ヒトＥＤＴＡ全血、ＣＳＡ  ０および２０００ｎｇ／ｍＬを有する。
【００９２】
エベロリムス（Ｅｖｅ）向けの試料：ヒトＥＤＴＡ全血、およびＥｖｅ  ０および３０ｎｇ／ｍＬを有する。
内部標準（ＩＳ）：
試料  １００μＬ当たりＩＳ  １０μＬ、ＶｉｔＤ（２５−ヒドロキシ−ビタミンＤ３、ｄ６）４６５ｎｇ／ｍＬ、Ｔｅｓｔｏ（テストステロン、３×Ｃ１３）５０ｎｇ／ｍＬ、ＣＳＡ（シクロスポリン、ｄ４および３×Ｃ１３）６６００ｎｇ／ｍＬ、Ｅｖｅ（エベロリムス、ｄ４および３×Ｃ１３）１００ｎｇ／ｍＬで、ヒト血清またはＥＤＴＡ血漿に溶かした。
試料の前処理の手順：
エッペンドルフカップを前処理（ＰＴ）容器として使用した。試料１００μＬを内部標準（上を参照されたい）１０μＬと混合し、室温（ＲＴ）で１０秒間ボルテックス撹拌し、次いで、振とう機（１４００ｒｐｍ）で３７℃で５分間インキュベートした。次いで、指示容量のＰＴ試薬を試料に加え、ＲＴで１０秒間ボルテックス撹拌し、次いで、振とう機（１４００ｒｐｍ）で３７℃で規定の期間の間インキュベートした。最終的に、前処理済み試料を、下に記載のように、タンパク質の沈殿、溶血および分析物放出に関して評価した。
溶血事象および沈殿事象の完全性に関する前処理済み試料の確認：
タンパク質沈殿および全血溶血に関するＰＴ試薬の定性的評価を行った。タンパク質沈殿と溶血とは個別に解析した。タンパク質沈殿の実験の場合、ＥＤＴＡ血漿を試料マトリックスとして使用した。前処理を行った後、前処理済み試料をＲＴで２０分間遠心分離した（２００００ｇ）。製剤は、視覚分析によって適切または不適切として分類した。カップの底にペレットが観察された場合、製剤は不適切であると分類した。溶血の評価の場合、全血（ＥＤＴＡ）を試料マトリックスとして使用した。前処理を行った後、前処理済み試料をマイクロヘマトクリットキャピラリーに充填し、ＲＴで３０分間遠心分離した（１３０００ｒｐｍ）。遠心分離後に赤血球がまだ観察された場合、製剤は、溶血に不適切であると分類した。ある特定の製剤を使用して、溶血が得られなかったか、または沈殿が観察されたかのいずれかである場合、分析物放出の程度に関するさらなる評価は行わなかった。
分析物放出の完全性に関する前処理済み試料の確認−直接Ｅｌｅｃｓｙｓ方法：
試料を前処理した後、分析物放出の定量を、Ｅｌｅｃｓｙｓ前処理ステップ（オフライン沈殿によるＣＳＡおよびエベロリムス、オンライン変性による総ビタミンＤ、Ｒ１競合剤によるテストステロン）を省略する独自のプロトコルによって、市販のＥｌｅｃｓｙｓアッセイ（ＣＳＡ、エベロリムス、テストステロン、総ビタミンＤ）を用いてＥｌｅｃｓｙｓ  ２０１０アナライザーで、行った。分析物放出０または１００％の対照として、遊離の分析物（ＶｉｔＤを０および７００ｎｇ／ｍＬ含む３０％ｖ／ｖのアセトニトリル／水；Ｔｅｓｔｏを０および１５ｎｇ／ｍＬ含む１％水性オクチル−β−Ｄ−グルコピラノシド；ＣＳＡを０および２０００ｎｇ／ｍＬ含むメタノ−ル：エチレングリコール９０：１０中の１００ｍＭ  ＺｎＳＯ４：ならびにＥｖｅ  ０および３０ｎｇ／ｍＬ）を含有する試料で回収率を測定した。前処理済み試料から生じる強力なマトリックス効果によって、Ｅｌｅｃｓｙｓアッセイにおいて問題が生じるので（例えば、シグナルダイナミクスの低下、再現性の悪化および／または測定セルの汚染）、いくつかの対策を実施する必要があった。前処理済み試料（ＰＴ−Ｓ）の容量を減らし、試薬の容量を増やした新しいＥｌｅｃｓｙｓプロトコルを開発し、使用した。場合によっては、マトリックス効果がシグナルをなおも妨害し、したがって、測定前にＰＴ−Ｓを希釈した。Ｅｌｅｃｓｙｓの測定は３回繰返しで行った。さらに、測定セルを定期的に洗浄した。修正Ｅｌｅｃｓｙｓ方法の不正確度のために、製剤は、回収率＞９０％を示す場合はすでに「完全な分析物放出」を生じていると、回収率８０〜９０％を示す場合は許容できると、分類した。良好な製剤は、３つの特徴全てを示す：完全な分析物放出、完全な溶血、および沈殿無し。
分析物放出の完全性に関する前処理済み試料の確認−ＬＬＥ（液体−液体抽出）方法：
試料を前処理した後、ＰＴ−Ｓを、Ｅｌｅｃｓｙｓアッセイでの最終分析物定量ステップ向けにマトリックス効果を低減させるためにＬＬＥに供した。有機溶媒６５０μＬをＰＴ−Ｓに加え（ＶｉｔＤ、ＴｅｓｔｏおよびＣＳＡにはｎ−ヘキサン、Ｅｖｅには酢酸エチル）、室温（ＲＴ）で３分間穏やかに混合した。短い遠心分離（２１０００ｇで４０秒、ＲＴ）の後、上清有機相５００μＬをエッペンドルフチューブに移し、ｓｐｅｅｄｖａｃで３０℃で蒸発乾固させた。乾燥抽出物を溶かした。ＣＳＡおよびＥｖｅは、Ｅｌｅｃｓｙｓ  ＩＳＤ前処理試薬３００μＬ中に、０．９％ＮａＣｌ溶液で１：２に希釈した；ＶｉｔＤは、５０％ｖ／ｖのアセトニトリル／水１００μＬ中に、続いて、これの８０μＬを、ＶｉｔＤを除いたヒト血清１８０μＬで希釈した。Ｔｅｓｔｏは３０％ｖ／ｖのアセトニトリル／水に溶かし、続いて、これの５０μＬをステロイドを含まないヒト血清２００μＬで希釈した。最終的に、当初のアッセイプロトコルを用いるＥｌｅｃｓｙｓで溶液を測定した。分析物放出１００％の対照として、試料はまた、上記の直接Ｅｌｅｃｓｙｓ方法で決定された通りに、良好なワーキングＰＴ試薬で並行して処理し、ＬＬＥ方法と同様に加工し、当初のアッセイプロトコルを使用することによってＥｌｅｃｓｙｓで最終的に定量した。方法の不正確度のために、製剤は、回収率＞９０％を示す場合はすでに「完全な分析物放出」を生じていると、回収率８０〜９０％を示す場合は許容できると、分類した。良好な製剤は、３つの特徴全てを示す：完全な分析物放出、完全な溶血、および沈殿無し。
【００９３】
実施例２
分析物放出
上記の方法に従って評価され、かつ沈殿物を形成することなく完全な分析物放出および溶血をもたらした第１の製剤「Ｆ」は：５ＭグアニジンＨＣＬ（Ｇｕａ）、０．５Ｍエチレンカーボネート（ＥｔＣ）、１５％ＡＣＮ、１．５％オクチル−β−Ｄ−グルコピラノシド（ＯβＤＧ）、ｐＨ６．５±０．３、試料１００μＬ当たり容量２００μＬ、３７℃で１５分のインキュベーション時間（表１）、から成った。
【００９４】
【表１】
2020512555.tif 000003
【００９５】
機能に影響を与えることなく、同じクラス由来の代替試薬で試薬を交換することができ、また沈殿物を形成することなく完全な分析物放出および溶血をもたらすこと、を示すことができた。変形形態についても、試料１００μＬ当たりＰＴ試薬２００μＬおよび３７℃で１５分のインキュベーション時間を使用することによって、試験した（表２）。
【００９６】
・Ｆ−Ｖ１：５Ｍ尿素、０．５Ｍ  ＥｔＣ、１５％ＡＣＮ、１．５％ＯβＤＧ、ｐＨ６．５±０．３。
・Ｆ−Ｖ２：５Ｍ  Ｇｕａ、０．５Ｍプロピレンカーボネート、１５％ＡＣＮ、１．５％ＯβＤＧ、ｐＨ６．５±０．３。
【００９７】
・Ｆ−Ｖ３：５Ｍ  Ｇｕａ、０．５Ｍグリセロール−１，２−カーボネート、１５％ＡＣＮ、１．５％ＯβＤＧ、ｐＨ６．５±０．３。
・Ｆ−Ｖ４：５Ｍ  Ｇｕａ、０．５Ｍ  ＥｔＣ、１５％ｎ−プロパノール、１．５％ＯβＤＧ、ｐＨ６．５±０．３。
【００９８】
【表２】
2020512555.tif 000004
【００９９】
Ｆのそれぞれの成分を、前処理に及ぼすそれらの影響を示すために漸減させた。変形形態についても、試料１００μＬ当たりＰＴ試薬２００μＬおよび３７℃で１５分のインキュベーション時間を使用することによって、試験した（表３）。
【０１００】
・Ｆ−Ｖ５：２．５Ｍ  Ｇｕａ、０．５Ｍ  ＥｔＣ、１５％ＡＣＮ、１．５％ＯβＤＧ、ｐＨ６．５±０．３。
・Ｆ−Ｖ６：１．２５Ｍ  Ｇｕａ、０．５Ｍ  ＥｔＣ、１５％ＡＣＮ、１．５％ＯβＤＧ、ｐＨ６．５±０．３。
【０１０１】
・Ｆ−Ｖ７：０．６３Ｍ  Ｇｕａ、０．５Ｍ  ＥｔＣ、１５％ＡＣＮ、１．５％ＯβＤＧ、ｐＨ６．５±０．３。
・Ｆ−Ｖ８：０Ｍ  Ｇｕａ、０．５Ｍ  ＥｔＣ、１５％ＡＣＮ、１．５％ＯβＤＧ、ｐＨ６．５±０．３。
【０１０２】
・Ｆ−Ｖ９：５Ｍ  Ｇｕａ、０．２５Ｍ  ＥｔＣ、１５％ＡＣＮ、１．５％ＯβＤＧ、ｐＨ６．５±０．３。
・Ｆ−Ｖ１０：５Ｍ  Ｇｕａ、０．１３Ｍ  ＥｔＣ、１５％ＡＣＮ、１．５％ＯβＤＧ、ｐＨ６．５±０．３。
【０１０３】
・Ｆ−Ｖ１１：５Ｍ  Ｇｕａ、０Ｍ  ＥｔＣ、１５％ＡＣＮ、１．５％ＯβＤＧ、ｐＨ６．５±０．３。
・Ｆ−Ｖ１２：５Ｍ  Ｇｕａ、０．５Ｍ  ＥｔＣ、３０％ＡＣＮ、１．５％ＯβＤＧ、ｐＨ６．５±０．３。
【０１０４】
・Ｆ−Ｖ１３：５Ｍ  Ｇｕａ、０．５Ｍ  ＥｔＣ、２０％ＡＣＮ、１．５％ＯβＤＧ、ｐＨ６．５±０．３。
・Ｆ−Ｖ１４：５Ｍ  Ｇｕａ、０．５Ｍ  ＥｔＣ、１０％ＡＣＮ、１．５％ＯβＤＧ、ｐＨ６．５±０．３。
【０１０５】
・Ｆ−Ｖ１５：５Ｍ  Ｇｕａ、０．５Ｍ  ＥｔＣ、５％ＡＣＮ、１．５％ＯβＤＧ、ｐＨ６．５±０．３。
・Ｆ−Ｖ１６：５Ｍ  Ｇｕａ、０．５Ｍ  ＥｔＣ、０％ＡＣＮ、１．５％ＯβＤＧ、ｐＨ６．５±０．３。
【０１０６】
【表３】
2020512555.tif 000005
【０１０７】
実施例３
ビーズ濃縮の干渉
製剤Ｆは、ビーズ濃縮をベースとするＬＣ−ＭＳ／ＭＳ分析においてＴｅｓｔｏおよびＣＳＡに対する干渉を、すなわちイオン抑制によるシグナル強度の喪失を示す：ビーズ濃縮ワークフローの最適化に際して、試料の前処理の条件について実験計画法を使用して調査した。長いクロマトグラフィーステップ（７．５分）および質量分析検出を用いる多重化ＨＰＬＣ方法を、この研究のための読み出し方法とした。試薬Ｆを前処理試薬として選択し、ワークフロー条件は次の通りとした：
血清の場合（テストステロン／２５−ＯＨビタミンＤ３）：血清１００μＬ＋ＰＴ−Ｆ１００μＬ；０．１％ギ酸アンモニウム中のビーズ（２５ｍｇ／ｍＬ）５０μＬ；洗浄：ＡＣＮ／Ｈ２Ｏ  ５：９５＋５ｍＭ  ＮＨ４ＯＨで２×；溶出：ＡＣＮ＋２％ＦＡ  １００μＬ。
【０１０８】
全血の場合（シクロスポリン／エベロリムス）：試料１００μＬ＋ＰＴ−Ｆ  ２００μＬ；１５％ＡＣＮ中のビーズ（２５ｍｇ／ｍＬ）５０μＬ；洗浄：ＡＣＮ／Ｈ２Ｏ  ３５：６５＋５ｍＭ  ＮＨ４ＯＨで２×；溶出：ＡＣＮ＋２％ＦＡ  １００μＬ。
【０１０９】
次いで、これらの最適化されたワークフローを使用してヒト試料を調製し、医学的決定点に相応する分析物濃度を添加した。分析は、高速クロマトグラフィーステップを含む分析物特異的ＬＣ−ＭＳ方法を使用して行った。例（図１）に、テストステロン（Ｔｅｓｔｏ）のＬＣ−ＭＳ分析の感度に対するＦ試薬による前処理ステップの効果を示す。シクロスポリン（ＣＳＡ）についても同様のシグナルの低下が得られた。前処理としてＦを使用した場合のテストステロンのシグナル強度は、前処理無しで得られた分析物シグナルのわずかおよそ１０％であった。理論に縛られることを望むものではないが、この効果は、濃縮ワークフローにおける洗浄手順が前処理ステップ後の試薬の痕跡全てを除去するのに十分ではなかったという事実に起因するものである可能性が高い。溶出ステップにまで、ワークフローを通して持ち越された残留グアニジニウム塩が、感度ロスにいたった強力なイオン抑制効果の原因であった可能性がある。
グアニジンＨＣｌが少ない製剤、Ｆ４、Ｆ６：
より少ないグアニジンＨＣｌを含有するさらなる２種の製剤、Ｆ４およびＦ６を上記の方法に従って評価したが、これらは：
・Ｆ４：２Ｍ  Ｇｕａ、０．５Ｍ  ＥｔＣ、１５％ＡＣＮ、１．５％ＯβＤＧ、ｐＨ６．５±０．３、試料１００μＬ当たり容量２００μＬ、および３７℃で１５分のインキュベーション時間。
【０１１０】
・Ｆ６：０．５Ｍ  Ｇｕａ、０．５Ｍ  ＥｔＣ、１５％ＡＣＮ、１．５％ＯβＤＧ、ｐＨ６．５±０．３、試料１００μＬ当たり容量２００μＬ、および３７℃で１５分のインキュベーション時間、
から成った。
【０１１１】
結果を表４に示す。記載の１５分よりも短い前処理時間が可能である。Ｆ４の場合、３分でもうまく機能することを確認した。
【０１１２】
【表４】
2020512555.tif 000006
【０１１３】
これらの製剤は、ビーズ濃縮ベースのＬＣ−ＭＳ／ＭＳ分析で干渉を示さない。
グアニジン濃度の低下は、試料の分析物放出または溶血に対してポジティブな効果を有した。高速クロマトグラフィーを使用するＬＣ−ＭＳ検出に対するＦ４の効果を、シクロスポリン（ＣＳＡ）、テストステロン（Ｔｅｓｔｏ）、およびビタミンＤ（ＶｉｔＤ）を使用して評価した。Ｆに対してグアニジンがより低濃度であることは、イオン抑制効果を低下させるのに有益である。図２が示すところは、前処理無しで抽出したマトリックスと比較して、感度を著しくロスさせることなく、試薬Ｆ４を使用した前処理後の高速ＬＣ−ＭＳによって、シクロスポリンを測定できた、ということである。また、テストステロンの場合、Ｆで観察されたイオン抑制（図１を参照）とは対照的に、Ｆ４で前処理／放出された場合（図３を参照）、感度の喪失は観察されないことを示すことができた。
【０１１４】
実施例４
試薬安定性
ＰＴ試薬について、加速貯蔵寿命試験（ＡＳＬ、１８ヶ月の貯蔵寿命時間モデル）では３５℃で３週間、オンボード安定性（ＯＢＳ）研究では１２℃で最長で２９日間ストレスを加えた。両研究において、２ｍＬのマイクロチューブ（ポリプロピレン）中で試薬にストレスを加えた。ストレスを加えたＡＳＬ試薬およびＯＢＳ試薬ならびに相応するストレスを加えていない試薬（Ｔ０）を、これらの機能テストまで−８０℃で貯蔵した。ストレスを加えたおよびストレスを加えていないＰＴ試薬を、試料の前処理ワークフロー（上を参照、試料１００μＬ、ＩＳ  １０μＬ、ＰＴ試薬２００μＬで３７℃で１５分間前処理）にこれらを適用することによって、それに続いて、上記のＥｌｅｃｓｙｓ手順を使用して分析物放出に関する回収率を測定することによって、試験した。ストレスを加えた試料の回収率の値を、ストレスを加えていないアナログ（Ｔ０、１００％）と比較し、および修正Ｅｌｅｃｓｙｓ方法の不正確度のために、回収率≧９０％を示す場合は、すでに製剤は安定であると分類した。結果を表５に示す。
【０１１５】
【表５】
2020512555.tif 000007
【０１１６】
実施例４
前処理試薬の容量の低減
それぞれの成分の最高濃度を含有するさらなる製剤Ｆ０を、より速いＰＴ時間およびＰＴのより低い容量の使用に関して上記の方法に従って評価した（表６を参照されたい）。Ｆ０は、６Ｍ  Ｇｕａ、０．６Ｍ  ＥｔＣ、１８％ＡＣＮ、１．８％ＯβＤＧ、ｐＨ６．５±０．３から成った。試験時間および容量を表６に示す；テスト条件はいずれも沈殿を引き起こさなかった。しかし、５０μＬ未満の容量では、完全な溶血は達成可能ではなかった；したがって、分析物放出を決定するために試験した最小容量は５０μＬとした。フォローアップ実験向けに、これらの結果に基づいて選択された条件は：
Ｆ０：６Ｍ  Ｇｕａ、０．６Ｍ  ＥｔＣ、１８％ＡＣＮ、１．８％ＯβＤＧ、ｐＨ６．５±０．３。試料１００μＬ当たり容量５０μＬ、および３７℃で５分のインキュベーション時間、であった。
【０１１７】
【表６】
2020512555.tif 000008
【０１１８】
Ｆ０のそれぞれの成分を、前処理に及ぼすそれらの影響を示すために漸減させた。変形形態についても、試料１００μＬ当たりＰＴ試薬５０μＬおよび３７℃で５分のインキュベーション時間を使用することによって、試験した（表７）。
【０１１９】
・Ｆ０−Ｖ１：４Ｍ  Ｇｕａ、０．６Ｍ  ＥｔＣ、１８％ＡＣＮ、１．８％ＯβＤＧ、ｐＨ６．５±０．３
・Ｆ０−Ｖ２：３Ｍ  Ｇｕａ、０．６Ｍ  ＥｔＣ、１８％ＡＣＮ、１．８％ＯβＤＧ、ｐＨ６．５±０．３。
【０１２０】
・Ｆ０−Ｖ３：１Ｍ  Ｇｕａ、０．６Ｍ  ＥｔＣ、１８％ＡＣＮ、１．８％ＯβＤＧ、ｐＨ６．５±０．３。
・Ｆ０−Ｖ４：０Ｍ  Ｇｕａ、０．６Ｍ  ＥｔＣ、１８％ＡＣＮ、１．８％ＯβＤＧ、ｐＨ６．５±０．３。
【０１２１】
・Ｆ０−Ｖ５：６Ｍ  Ｇｕａ、０．３Ｍ  ＥｔＣ、１８％ＡＣＮ、１．８％ＯβＤＧ、ｐＨ６．５±０．３。
・Ｆ０−Ｖ６：６Ｍ  Ｇｕａ、０．１５Ｍ  ＥｔＣ、１８％ＡＣＮ、１．８％ＯβＤＧ、ｐＨ６．５±０．３。
【０１２２】
・Ｆ０−Ｖ７：６Ｍ  Ｇｕａ、０Ｍ  ＥｔＣ、１８％ＡＣＮ、１．８％ＯβＤＧ、ｐＨ６．５±０．３。
・Ｆ０−Ｖ８：６Ｍ  Ｇｕａ、０．６Ｍ  ＥｔＣ、９％ＡＣＮ、１．８％ＯβＤＧ、ｐＨ６．５±０．３。
【０１２３】
・Ｆ０−Ｖ９：６Ｍ  Ｇｕａ、０．６Ｍ  ＥｔＣ、４．５％ＡＣＮ、１．８％ＯβＤＧ、ｐＨ６．５±０．３。
・Ｆ０−Ｖ１０：６Ｍ  Ｇｕａ、０．６Ｍ  ＥｔＣ、０％ＡＣＮ、１．８％ＯβＤＧ、ｐＨ６．５±０．３。
【０１２４】
・Ｆ０−Ｖ１１：６Ｍ  Ｇｕａ、０．６Ｍ  ＥｔＣ、１８％ＡＣＮ、０．９％ＯβＤＧ、ｐＨ６．５±０．３。
・Ｆ０−Ｖ１２：６Ｍ  Ｇｕａ、０．６Ｍ  ＥｔＣ、１８％ＡＣＮ、０．４５％ＯβＤＧ、ｐＨ６．５±０．３。
【０１２５】
・Ｆ０−Ｖ１３：６Ｍ  Ｇｕａ、０．６Ｍ  ＥｔＣ、１８％ＡＣＮ、０％ＯβＤＧ、ｐＨ６．５±０．３。
【０１２６】
【表７】
2020512555.tif 000009
【０１２７】
Ｆ０に対する他のｐＨ値およびＦ０による前処理に対する他の温度の影響を評価した。変形形態についても、試料１００μＬ当たりＰＴ試薬５０μＬおよび５分のインキュベーション時間を使用することによって、試験した（表８）。６０℃によって、バイアルのへりに沈殿物と皮殻状沈殿がもたらされた。
【０１２８】
・Ｆ０−Ｖ１４：６Ｍ  Ｇｕａ、０．６Ｍ  ＥｔＣ、１８％ＡＣＮ、１．８％ＯβＤＧ、ｐＨ５．０。３７℃でのＰＴ
・Ｆ０−Ｖ１５：６Ｍ  Ｇｕａ、０．６Ｍ  ＥｔＣ、１８％ＡＣＮ、１．８％ＯβＤＧ、ｐＨ８．０。３７℃でのＰＴ
・Ｆ０−Ｖ１６：６Ｍ  Ｇｕａ、０．６Ｍ  ＥｔＣ、１８％ＡＣＮ、１．８％ＯβＤＧ、ｐＨ６．５±０．３。６℃でのＰＴ。
【０１２９】
・Ｆ０−Ｖ１７：６Ｍ  Ｇｕａ、０．６Ｍ  ＥｔＣ、１８％ＡＣＮ、１．８％ＯβＤＧ、ｐＨ６．５±０．３。２２℃でのＰＴ。
・Ｆ０−Ｖ１８：６Ｍ  Ｇｕａ、０．６Ｍ  ＥｔＣ、１８％ＡＣＮ、１．８％ＯβＤＧ、ｐＨ６．５±０．３。５０℃でのＰＴ。
【０１３０】
・Ｆ０−Ｖ１９：６Ｍ  Ｇｕａ、０．６Ｍ  ＥｔＣ、１８％ＡＣＮ、１．８％ＯβＤＧ、ｐＨ６．５±０．３。６０℃でのＰＴ。
【０１３１】
【表８】
2020512555.tif 000010
【０１３２】
Ｆ０変形形態Ｆ０−Ｖ７を使用すると、完全な分析物放出を達成するのにエチレンカーボネートが必要ないことがわかった。次のステップで、エチレンカーボネートがＦ０に含まれるグアニジンＨＣＬの必要量を低減する助けとなるかどうかを確認し、その結果、ＬＣ−ＭＳ／ＭＳ分析（例えばイオン抑制）へのその干渉を最小限に抑える可能性が得られた。分析物放出に関して最も困難なケースはＶｉｔＤであるので、これらの実験はＶｉｔＤのみで行なった。最終的には、ワーキング変形形態（Ｆ０−２９）を使用して、他の分析物を試験した。変形形態を、試料１００μＬ当たりＰＴ試薬５０μＬおよび５分のインキュベーション時間を使用することによって、試験した（表９）；２変形形態（Ｖ２６、Ｖ−２７）の場合のみ、試験インキュベーション時間を１５分とした。
【０１３３】
・Ｆ０−Ｖ２０：２Ｍ  Ｇｕａ、０．６Ｍ  ＥｔＣ、１８％ＡＣＮ、１．８％ＯβＤＧ、ｐＨ６．５±０．３。
・Ｆ０−Ｖ２１：２Ｍ  Ｇｕａ、１．２Ｍ  ＥｔＣ、１８％ＡＣＮ、１．８％ＯβＤＧ、ｐＨ６．５±０．３。
【０１３４】
・Ｆ０−Ｖ２２：２Ｍ  Ｇｕａ、２．４Ｍ  ＥｔＣ、１８％ＡＣＮ、１．８％ＯβＤＧ、ｐＨ６．５±０．３。
・Ｆ０−Ｖ２３：３Ｍ  Ｇｕａ、０．６Ｍ  ＥｔＣ、１８％ＡＣＮ、１．８％ＯβＤＧ、ｐＨ６．５±０．３。
【０１３５】
・Ｆ０−Ｖ２４：３Ｍ  Ｇｕａ、１．２Ｍ  ＥｔＣ、１８％ＡＣＮ、１．８％ＯβＤＧ、ｐＨ６．５±０．３。
・Ｆ０−Ｖ２５：３Ｍ  Ｇｕａ、２．４Ｍ  ＥｔＣ、１８％ＡＣＮ、１．８％ＯβＤＧ、ｐＨ６．５±０．３。
【０１３６】
・Ｆ０−Ｖ２６：２Ｍ  Ｇｕａ、２．４Ｍ  ＥｔＣ、１８％ＡＣＮ、１．８％ＯβＤＧ、ｐＨ６．５±０．３、１５分。
・Ｆ０−Ｖ２７：３Ｍ  Ｇｕａ、２．４Ｍ  ＥｔＣ、１８％ＡＣＮ、１．８％ＯβＤＧ、ｐＨ６．５±０．３．１５分。
【０１３７】
・Ｆ０−Ｖ２８：４Ｍ  Ｇｕａ、０．６Ｍ  ＥｔＣ、１８％ＡＣＮ、１．８％ＯβＤＧ、ｐＨ６．５±０．３。
・Ｆ０−Ｖ２９：４Ｍ  Ｇｕａ、２．４Ｍ  ＥｔＣ、１８％ＡＣＮ、１．８％ＯβＤＧ、ｐＨ６．５±０．３。
【０１３８】
【表９】
2020512555.tif 000011
【０１３９】
上の変形形態Ｆ−Ｖ１１およびＦ０−Ｖ７を用いた実験からも理解されるように、重炭酸イオンを供給する薬剤を含めることによって、カオトロピック剤の濃度をおよそ２分の１に低減させることが可能である。さらに、Ｆ０から一成分のみを取り出すことによって、ならびに可溶化剤ＡＣＮまたはＯβＤＧを含有する２成分変形形態によって、最小限の製剤を評価した。変形形態を、試料１００μＬ当たりＰＴ試薬５０μＬおよび５分のインキュベーション時間を使用することによって、試験した（表１０）。
【０１４０】
・Ｆ０−Ｖ３０：６Ｍ  Ｇｕａ
・Ｆ０−Ｖ３１：０．６Ｍ  ＥｔＣ
・Ｆ０−Ｖ３２：１８％ＡＣＮ
・Ｆ０−Ｖ３３：１．８％ＯβＤＧ
・Ｆ０−Ｖ３４：６Ｍ  Ｇｕａ、１．８％ＯβＤＧ
・Ｆ０−Ｖ３５：６Ｍ  Ｇｕａ、１８％ＡＣＮ
・Ｆ０−Ｖ３６：０．６Ｍ  ＥｔＣ、１．８％ＯβＤＧ
・Ｆ０−Ｖ３７：０．６Ｍ  ＥｔＣ、１８％ＡＣＮ
【０１４１】
【表１０】
2020512555.tif 000012
【０１４２】
実施例５
ビーズワークフロー
製剤Ｆ、Ｆ４、およびＦ０を、ビーズ濃縮ワークフローで確認した。試料１００μＬ（ＶｉｔＤ、Ｔｅｓｔｏ、ＣＳＡおよびＥｖｅを添加した血清）をＲＴで１５分間平衡化した。次いで、ＰＴ試薬（ＦおよびＦ４：２００μＬ；Ｆ０：５０μＬ）を試料に加え、３７℃でインキュベートした（ＦおよびＦ４：１５分；Ｆ０  ５分）。ビーズ懸濁液（ビーズおよそ２．５ｍｇ）５０μＬを加え、ＲＴで５分間平衡化した後、磁気分離を行った。それぞれ水溶液２００μＬを含有する２回の洗浄ステップを実施し、それに続いて１００μＬのアセトニトリル（ＡＣＮ）／２％ギ酸水溶液（ＦＡ）  ７０／３０またはアセトニトリル／２％ギ酸  ９８／２で溶出ステップを実施した。磁気分離後、上清８０μＬをＩＳ（５０％メタノール／水中）５μＬと混合し、これの５μＬを注入し、ＬＣ−ＭＳ／ＭＳで定量した。本研究の場合、ワークフロー後の分析物の全収率を決定するために、最終ステップでＩＳを加えた。ビーズ濃縮ワークフローで見いだされた分析物の回収率は、いくつかのパラメータによって、例えば、分析物の捕捉に使用したビーズタイプ（サイズ排除、逆相および／またはイオン交換による固相抽出）およびビーズ緩衝剤の組成、洗浄条件、ビーズ溶出溶媒、前処理試薬の製剤および容量、前処理時間によって、左右される。ＬＣ−ＭＳ／ＭＳ条件：Ｐｈｅｎｏｍｅｎｅｘ製のカラム、Ｆ５（２．６μｍ粒子、１５０×２．１ｍｍ）；４０℃のカラム温度；溶媒Ａ（２ｍＭ酢酸アンモニウム、水に溶かした０．１％ギ酸）および溶媒Ｂ（２ｍＭ酢酸アンモニウム、９５％ＡＣＮ＋５％水に溶かした０．１％ギ酸）による勾配（表１１を参照されたい）；マルチリアクションモニタリングを備えるＭＳ／ＭＳ。
【０１４３】
【表１１】
2020512555.tif 000013
【０１４４】
様々なビーズタイプと様々なビーズバッファーとの組み合わせにあるＰＴ試薬Ｆ、Ｆ４、およびＦ０について得られた結果が表１３にまとめられている。良好なまたは許容可能な収率が、特に９８／２のＡＣＮ／２％ＦＡによる分析物溶出の組み合わせでのＦ４およびＦ０で、得られた。
【０１４５】
【表１２】
2020512555.tif 000014
【０１４６】
実施例６
汎用的製剤
いくつかのＰＴ試薬は、完全な分析物放出および溶血（ＩＳＤの場合）、ならびに沈殿を示さないことに関して、汎用的であることがわかった（表１３を参照されたい）。製剤は安定しており、１−ステップＰＴプロセス向けにすぐに使用できる状態であり、かつビーズ濃縮ワークフローに対応していた。イオン抑制などのＬＣ−ＭＳ／ＭＳ干渉の可能性を低減させるために、かつ同時にＰＴに必要な試薬容量を低減させるために、製剤Ｆ０−Ｖ２９が開発された。
【０１４７】
【表１３】
2020512555.tif 000015
【図１】
2020512555.tif 000016
【図２】
2020512555.tif 000017
【図３】
2020512555.tif 000018
【国際調査報告】
2020512555.tif 000019
2020512555.tif 000020
2020512555.tif 000021
2020512555.tif 000022